(57)【要約】  本発明に係る移動通信システムでは、フェムト無線基地局ＮｏｄｅＢ＃２が、オープン状態に設定されている場合、フェムト無線基地局ＮｏｄｅＢ＃２が、クローズド状態に設定されており、アクセス可能な移動局として移動局ＵＥが設定されているアクセスリストを管理している場合、或いは、フェムト無線基地局ＮｏｄｅＢ＃２が、クローズド状態に設定されており、アクセス可能な移動局を示す情報として全ての移動局を示す特定情報が設定されているアクセスリストを管理している場合にのみ、フェムト無線基地局ＮｏｄｅＢ＃２配下のセルに対する移動局ＵＥの位置登録処理を許可するように構成されている。
2009104648.tif 000002
【特許請求の範囲】
【請求項１】
オープン状態又はクローズド状態のいずれかに設定可能な無線基地局配下のセルに対する移動局の位置登録処理の可否を判断するように構成されている移動通信システムであって、
前記無線基地局が、オープン状態に設定されている場合、該無線基地局が、クローズド状態に設定されており、アクセス可能な移動局として前記移動局が設定されているアクセスリストを管理している場合、或いは、該無線基地局が、クローズド状態に設定されており、アクセス可能な移動局を示す情報として全ての移動局を示す特定情報が設定されているアクセスリストを管理している場合にのみ、該無線基地局配下のセルに対する該移動局の位置登録処理を許可するように構成されていることを特徴とする移動通信システム。
【請求項２】
前記無線基地局が、オープン状態に設定されている場合、或いは、該無線基地局が、クローズド状態に設定されており、アクセス可能な移動局を示す情報として全ての移動局を示す特定情報が設定されているアクセスリストを管理している場合には、該無線基地局配下のセルに対する全ての移動局の位置登録処理を許可するように構成されていることを特徴とする請求項１に記載の移動通信システム。
【請求項３】
前記移動局の位置登録処理を要求する位置登録要求に含まれる情報に応じて、前記無線基地局がオープン状態であるかクローズド状態であるかについて判断し、該判断結果に基づいて、該無線基地局配下のセルに対する該移動局の位置登録処理の可否を判断するように構成されていることを特徴とする請求項１又は２に記載の移動通信システム。
【請求項４】
前記無線基地局配下のセルに対する前記移動局の位置登録処理が拒否された場合、該移動局に対して、位置登録処理を行うべきセルに関する情報を通知するように構成されていることを特徴とする請求項１乃至３のいずれか一項に記載の移動通信システム。
【請求項５】
オープン状態又はクローズド状態のいずれかに設定可能な無線基地局配下のセルに対する移動局のハンドオーバの可否を判断するように構成されている移動通信システムであって、
前記無線基地局が、オープン状態に設定されている場合、該無線基地局が、クローズド状態に設定されており、アクセス可能な移動局として前記移動局が設定されているアクセスリストを管理している場合、或いは、該無線基地局が、クローズド状態に設定されており、アクセス可能な移動局を示す情報として全ての移動局を示す特定情報が設定されているアクセスリストを管理している場合にのみ、該無線基地局配下のセルに対する該移動局のハンドオーバを許可するように構成されていることを特徴とする移動通信システム。
【請求項６】
前記無線基地局が、オープン状態に設定されている場合、或いは、該無線基地局が、クローズド状態に設定されており、アクセス可能な移動局を示す情報として全ての移動局を示す特定情報が設定されているアクセスリストを管理している場合には、該無線基地局配下のセルに対する全ての移動局のハンドオーバを許可するように構成されていることを特徴とする請求項５に記載の移動通信システム。
【請求項７】
オープン状態又はクローズド状態のいずれかに設定可能な無線基地局配下のセルに対する移動局の位置登録処理の可否を判断する位置登録方法であって、
前記無線基地局が、オープン状態に設定されている場合、該無線基地局が、クローズド状態に設定されており、アクセス可能な移動局として前記移動局が設定されているアクセスリストを管理している場合、或いは、該無線基地局が、クローズド状態に設定されており、アクセス可能な移動局を示す情報として全ての移動局を示す特定情報が設定されているアクセスリストを管理している場合にのみ、該無線基地局配下のセルに対する該移動局の位置登録処理を許可することを特徴とする位置登録方法。
【請求項８】
オープン状態又はクローズド状態のいずれかに設定可能な無線基地局配下のセルに対する移動局のハンドオーバの可否を判断するハンドオーバ方法であって、
前記無線基地局が、オープン状態に設定されている場合、該無線基地局が、クローズド状態に設定されており、アクセス可能な移動局として前記移動局が設定されているアクセスリストを管理している場合、或いは、該無線基地局が、クローズド状態に設定されており、アクセス可能な移動局を示す情報として全ての移動局を示す特定情報が設定されているアクセスリストを管理している場合にのみ、該無線基地局配下のセルに対する該移動局のハンドオーバを許可することを特徴とするハンドオーバ方法。
【請求項９】
オープン状態又はクローズド状態のいずれかに設定可能な無線基地局配下のセルに対する移動局の位置登録処理の可否を判断するように構成されている交換局であって、
前記無線基地局が、オープン状態に設定されている場合、該無線基地局が、クローズド状態に設定されており、アクセス可能な移動局として前記移動局が設定されているアクセスリストを管理している場合、或いは、該無線基地局が、クローズド状態に設定されており、アクセス可能な移動局を示す情報として全ての移動局を示す特定情報が設定されているアクセスリストを管理している場合にのみ、該無線基地局配下のセルに対する該移動局の位置登録処理を許可するように構成されていることを特徴とする交換局。
【請求項１０】
前記無線基地局が、オープン状態に設定されている場合、或いは、該無線基地局が、クローズド状態に設定されており、アクセス可能な移動局を示す情報として全ての移動局を示す特定情報が設定されているアクセスリストを管理している場合には、該無線基地局配下のセルに対する全ての移動局の位置登録処理を許可するように構成されていることを特徴とする請求項９に記載の交換局。
【請求項１１】
前記移動局の位置登録処理を要求する位置登録要求に含まれる情報に応じて、前記無線基地局がオープン状態であるかクローズド状態であるかについて判断し、該判断結果に基づいて、該無線基地局配下のセルに対する該移動局の位置登録処理の可否を判断するように構成されていることを特徴とする請求項９又は１０に記載の交換局。
【請求項１２】
オープン状態又はクローズド状態のいずれかに設定可能な無線基地局配下のセルに対する移動局の位置登録処理の可否を判断するように構成されている移動通信システムで用いられる移動局であって、
前記無線基地局が、オープン状態に設定されている場合、該無線基地局が、クローズド状態に設定されており、アクセス可能な移動局として前記移動局が設定されているアクセスリストを管理している場合、或いは、該無線基地局が、クローズド状態に設定されており、アクセス可能な移動局を示す情報として全ての移動局を示す特定情報が設定されているアクセスリストを管理している場合にのみ、該無線基地局配下のセルに対して、該移動局の位置登録処理を要求する位置登録要求を送信するように構成されていることを特徴とする移動局。
【請求項１３】
オープン状態又はクローズド状態のいずれかに設定可能な無線基地局配下のセルに対する移動局のハンドオーバの可否を判断するように構成されている無線制御局であって、
前記無線基地局が、オープン状態に設定されている場合、該無線基地局が、クローズド状態に設定されており、アクセス可能な移動局として前記移動局が設定されているアクセスリストを管理している場合、或いは、該無線基地局が、クローズド状態に設定されており、アクセス可能な移動局を示す情報として全ての移動局を示す特定情報が設定されているアクセスリストを管理している場合にのみ、該無線基地局配下のセルに対する該移動局のハンドオーバを許可するように構成されていることを特徴とする無線制御局。
【請求項１４】
前記無線基地局が、オープン状態に設定されている場合、或いは、該無線基地局が、クローズド状態に設定されており、アクセス可能な移動局を示す情報として全ての移動局を示す特定情報が設定されているアクセスリストを管理している場合には、該無線基地局配下のセルに対する全ての移動局のハンドオーバを許可するように構成されていることを特徴とする請求項１３に記載の無線制御局。
【請求項１５】
前記無線基地局配下のセルに対する前記移動局の位置登録処理の拒否回数に応じて、該無線基地局配下のセルに対する該移動局の位置登録処理を拒否する旨を通知するための否定的な位置登録応答に含める要因を変更するように構成されていることを特徴とする請求項９乃至１１のいずれか一項に記載の交換局。
【請求項１６】
前記拒否回数が、所定回数未満である場合、前記位置登録応答に、前記移動局の位置登録処理が許可されていない旨を示す要因以外の要因を含めるように構成されていることを特徴とする請求項１５に記載の交換局。
【請求項１７】
前記拒否回数が、所定回数に到達した場合、前記位置登録応答に、前記移動局の位置登録処理が許可されていない旨を示す要因を含めるように構成されていることを特徴とする請求項１５又は１６に記載の交換局。
【請求項１８】
前記拒否回数が、所定回数に到達した場合、前記無線基地局配下のセルに対する前記移動局の位置登録処理を許可するように構成されていることを特徴とする請求項１５又は１６に記載の交換局。
【請求項１９】
オープン状態又はクローズド状態のいずれかに設定可能な配下のセルに対する移動局の位置登録処理の可否を判断するように構成されている無線基地局であって、
オープン状態に設定されている場合、クローズド状態に設定されており、アクセス可能な移動局として前記移動局が設定されているアクセスリストを管理している場合、或いは、クローズド状態に設定されており、アクセス可能な移動局を示す情報として全ての移動局を示す特定情報が設定されているアクセスリストを管理している場合にのみ、配下のセルに対する該移動局の位置登録処理を許可するように構成されていることを特徴とする無線基地局。
【請求項２０】
オープン状態に設定されている場合、或いは、クローズド状態に設定されており、アクセス可能な移動局を示す情報として全ての移動局を示す特定情報が設定されているアクセスリストを管理している場合には、配下のセルに対する全ての移動局の位置登録処理を許可するように構成されていることを特徴とする請求項１９に記載の無線基地局。
【請求項２１】
オープン状態又はクローズド状態のいずれかに設定可能な無線基地局配下のセルに対する移動局の位置登録処理の可否を判断するように構成されている集約装置であって、
前記無線基地局が、オープン状態に設定されている場合、該無線基地局が、クローズド状態に設定されており、アクセス可能な移動局として前記移動局が設定されているアクセスリストを管理している場合、或いは、該無線基地局が、クローズド状態に設定されており、アクセス可能な移動局を示す情報として全ての移動局を示す特定情報が設定されているアクセスリストを管理している場合にのみ、該無線基地局配下のセルに対する該移動局の位置登録処理」を許可するように構成されていることを特徴とする集約装置。
【請求項２２】
前記無線基地局が、オープン状態に設定されている場合、或いは、該無線基地局が、クローズド状態に設定されており、アクセス可能な移動局を示す情報として全ての移動局を示す特定情報が設定されているアクセスリストを管理している場合には、該無線基地局配下のセルに対する全ての移動局の位置登録処理を許可するように構成されていることを特徴とする請求項２１に記載の集約装置。
【請求項２３】
前記移動局の位置登録処理を要求する位置登録要求に含まれる情報に応じて、前記無線基地局がオープン状態であるかクローズド状態であるかについて判断し、該判断結果に基づいて、該無線基地局配下のセルに対する該移動局の位置登録処理の可否を判断するように構成されていることを特徴とする請求項２１又は２２に記載の集約装置。
【請求項２４】
オープン状態又はクローズド状態のいずれかに設定可能な無線基地局配下のセルに対する移動局の位置登録処理の可否を判断するように構成されている無線制御局であって、
前記無線基地局が、オープン状態に設定されている場合、該無線基地局が、クローズド状態に設定されており、アクセス可能な移動局として前記移動局が設定されているアクセスリストを管理している場合、或いは、該無線基地局が、クローズド状態に設定されており、アクセス可能な移動局を示す情報として全ての移動局を示す特定情報が設定されているアクセスリストを管理している場合にのみ、該無線基地局配下のセルに対する該移動局の位置登録処理」を許可するように構成されていることを特徴とする無線制御局。
【請求項２５】
前記無線基地局が、オープン状態に設定されている場合、或いは、該無線基地局が、クローズド状態に設定されており、アクセス可能な移動局を示す情報として全ての移動局を示す特定情報が設定されているアクセスリストを管理している場合には、該無線基地局配下のセルに対する全ての移動局の位置登録処理を許可するように構成されていることを特徴とする請求項２４に記載の無線制御局。
【請求項２６】
前記移動局の位置登録処理を要求する位置登録要求に含まれる情報に応じて、前記無線基地局がオープン状態であるかクローズド状態であるかについて判断し、該判断結果に基づいて、該無線基地局配下のセルに対する該移動局の位置登録処理の可否を判断するように構成されていることを特徴とする請求項２４又は２５に記載の無線制御局。
【請求項２７】
オープン状態又はクローズド状態のいずれかに設定可能な配下のセルに対する移動局のハンドオーバの可否を判断するように構成されている無線基地局であって、
オープン状態に設定されている場合、クローズド状態に設定されており、アクセス可能な移動局として前記移動局が設定されているアクセスリストを管理している場合、或いは、クローズド状態に設定されており、アクセス可能な移動局を示す情報として全ての移動局を示す特定情報が設定されているアクセスリストを管理している場合にのみ、配下のセルに対する該移動局のハンドオーバを許可するように構成されていることを特徴とする無線基地局。
【請求項２８】
オープン状態に設定されている場合、或いは、クローズド状態に設定されており、アクセス可能な移動局を示す情報として全ての移動局を示す特定情報が設定されているアクセスリストを管理している場合には、配下のセルに対する全ての移動局のハンドオーバを許可するように構成されていることを特徴とする請求項２７に記載の無線基地局。
【請求項２９】
オープン状態又はクローズド状態のいずれかに設定可能な無線基地局配下のセルに対する移動局のハンドオーバの可否を判断するように構成されている集約装置であって、
前記無線基地局が、オープン状態に設定されている場合、該無線基地局が、クローズド状態に設定されており、アクセス可能な移動局として前記移動局が設定されているアクセスリストを管理している場合、或いは、該無線基地局が、クローズド状態に設定されており、アクセス可能な移動局を示す情報として全ての移動局を示す特定情報が設定されているアクセスリストを管理している場合にのみ、該無線基地局配下のセルに対する該移動局のハンドオーバを許可するように構成されていることを特徴とする集約装置。
【請求項３０】
前記無線基地局が、オープン状態に設定されている場合、或いは、該無線基地局が、クローズド状態に設定されており、アクセス可能な移動局を示す情報として全ての移動局を示す特定情報が設定されているアクセスリストを管理している場合には、該無線基地局配下のセルに対する全ての移動局のハンドオーバを許可するように構成されていることを特徴とする請求項２９に記載の集約装置。
【発明の詳細な説明】
【技術分野】
【０００１】
本発明は、オープン状態又はクローズド状態のいずれかに設定可能な無線基地局配下のセルに対する移動局の位置登録処理の可否を判断するように構成されている移動通信システム、位置登録方法、交換局、移動局に関する。【０００２】
また、本発明は、オープン状態又はクローズド状態のいずれかに設定可能な無線基地局配下のセルに対する移動局のハンドオーバの可否を判断するように構成されている移動通信システム、ハンドオーバ方法及び無線制御局に関する。
【背景技術】
【０００３】
近年、３ＧＰＰ（３ｒｄ  Ｇｅｎｅｒａｔｉｏｎ  Ｐａｒｔｎｅｒｓｈｉｐ  Ｐｒｏｊｅｃｔｓ）により、符号分割多元接続（Ｃｏｄｅ  Ｄｉｖｉｓｉｏｎ  Ｍｕｌｔｉｐｌｅ  Ａｃｃｅｓｓ：ＣＤＭＡ）技術に基づいた「Ｗ-ＣＤＭＡ（Ｗｉｄｅｂａｎｄ-Ｃｏｄｅ  Ｄｉｖｉｓｉｏｎ  Ｍｕｌｔｉｐｌｅ  Ａｃｃｅｓｓ）方式の移動通信システム、或いは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）と呼ばれる移動通信システムが提案され、「非特許文献１」に仕様化されている。【０００４】
ここで、図２４乃至図２６を参照して、Ｗ-ＣＤＭＡ方式の移動通信システムについて説明する。【０００５】
図２４に示すように、Ｗ-ＣＤＭＡ方式の移動通信システムは、移動局ＵＥ（Ｕｓｅｒ  Ｅｑｕｉｐｍｅｎｔ）と、無線基地局ＮｏｄｅＢと、無線制御局ＲＮＣ（Ｒａｄｉｏ  Ｎｅｔｗｏｒｋ  Ｃｏｎｔｒｏｌｌｅｒ）と、交換局ＭＳＣ/ＳＧＳＮ（Ｍｏｂｉｌｅ  Ｓｗｉｔｃｈｉｎｇ  Ｃｅｎｔｅｒ/Ｓｅｒｖｉｎｇ  ＧＰＲＳ  Ｓｕｐｐｏｒｔ  Ｎｏｄｅ）とによって、セルラ方式の移動通信システムを構成している。かかるセルラ方式の制御単位は、「セル（Ｃｅｌｌ）」と呼ばれるエリアである。【０００６】
なお、かかる移動通信システムでは、交換局ＭＳＣ/ＳＧＳＮが複数存在し互いに接続されているのが普通であるが、図２４の例では、簡略化のため、１つの交換局ＭＳＣ/ＳＧＳＮのみが示されているものとする。【０００７】
また、かかる移動通信システムでは、交換局とは別に、ホームメモリと呼ばれる加入者情報を記憶する装置が配備されるのが普通であるが、図２４の例では、簡略化のため、ホームメモリの機能は、交換局ＭＳＣ/ＳＧＳＮに含まれるものとする。【０００８】
Ｗ-ＣＤＭＡ方式の移動通信システムにおいて、電源は入っているが通信を行っていない、すなわち、ユーザの端末操作による発信動作や呼び出しによる着信に備えて待機している「待ち受け状態」の移動局ＵＥは、無線基地局ＮｏｄｅＢによって送出されるパイロット信号の受信電力を測定し、最適なパイロット信号（すなわち、最適なパイロット信号に対応するセル）を自律的に選択するように構成されている。かかる選択アルゴリズムについては、説明を省略する。【０００９】
最適なパイロット信号（すなわち、最適なパイロット信号に対応するセル）を選択した移動局ＵＥは、当該セルにおいて待ち受けを行うように構成されている。この際、移動局ＵＥは、当該セルに対して位置登録処理を行うように構成されている。【００１０】
図２５を参照して、従来技術における位置登録処理の動作について説明する。【００１１】
ステップＳ３００１において、移動局ＵＥは、選択したセルの報知情報に含まれているセルの位置番号と、当該移動局ＵＥにおいて記憶されているセルの位置番号とを比較する。【００１２】
両者が一致していれば、移動局ＵＥは、本動作を終了して、ステップＳ３００２において、当該セルにおける待ち受けを継続する。【００１３】
一方、両者が不一致であれば、移動局ＵＥは、ステップＳ３００３及びＳ３００４において、無線制御局ＲＮＣに対して、「ＲＲＣ  Ｃｏｎｎｅｃｔｉｏｎ  Ｒｅｑｕｅｓｔメッセージ」を送信することによって、当該無線制御局ＲＮＣとの間で無線回線を設定した上で、ステップＳ３００５において、交換局ＭＳＣ/ＳＧＳＮに対して、選択したセルに対する位置登録処理を要求するための「Ｒｏｕｔｉｎｇ  Ａｒｅａ  Ｕｐｄａｔｅ  Ｒｅｑｕｅｓｔメッセージ（位置登録要求）」を送信する。【００１４】
ここで、無線制御局ＲＮＣは、交換局ＭＳＣ/ＳＧＳＮに対して「Ｒｏｕｔｉｎｇ  Ａｒｅａ  Ｕｐｄａｔｅ  Ｒｅｑｕｅｓｔメッセージ（位置登録要求）」を転送する際に、自局において記憶されている当該セルの位置番号を付与する。【００１５】
ここで、「Ｒｏｕｔｉｎｇ  Ａｒｅａ  Ｕｐｄａｔｅ  Ｒｅｑｕｅｓｔメッセージ（位置登録要求）」に付与されるセルの位置番号は、上述のセルの報知情報に含まれるセルの位置番号と同一のものである。【００１６】
ステップＳ３００６において、移動局ＵＥについての認証処理が行われた後、移動局ＵＥは、ステップＳ３００７において、交換局ＭＳＣ/ＳＧＳＮから、「Ｒｏｕｔｉｎｇ  Ａｒｅａ  Ｕｐｄａｔｅ  Ａｃｃｅｐｔメッセージ（位置登録応答）」を受信すると、ステップ３００８において、当該セルの位置番号を記憶した上で、ステップＳ３００９において、交換局ＭＳＣ/ＳＧＳＮに対して、「Ｒｏｕｔｉｎｇ  Ａｒｅａ  Ｕｐｄａｔｅ  Ｃｏｍｐｌｅｔｅメッセージ（位置登録完了応答）」を返送すると共に、ステップＳ３０１１において、当該無線制御局ＲＮＣとの間の無線回線を解放する。【００１７】
ステップＳ３０１０において、「Ｒｏｕｔｉｎｇ  Ａｒｅａ  Ｕｐｄａｔｅ  Ｃｏｍｐｌｅｔｅメッセージ（位置登録完了応答）」を受信した交換局ＭＳＣ/ＳＧＳＮは、当該セルの位置番号を当該移動局ＵＥに関連付けて登録する。【００１８】
なお、かかる位置登録処理の目的は、特定の移動局ＵＥに対する着信時に、呼び出し信号を送出するセルを限定することである。【００１９】
交換局ＭＳＣ/ＳＧＳＮや無線制御局ＲＮＣは、特定の移動局ＵＥに対する着信時に、移動通信システム内の全てのセルに対して呼び出し信号を送出する必要はなく、当該特定の移動局ＵＥに関連付けて登録されている位置番号に対応するセル群にのみ、当該呼び出し信号を送出すればよい。【００２０】
一方、Ｗ-ＣＤＭＡ方式の移動通信システムにおいて、特定のセルにおいて通信状態にある移動局ＵＥは、当該セル及び周辺セルにおけるパイロット信号の受信電力を測定し、かかる測定結果を、定期的に、或いは、周期的な閾値判定の結果に基づく契機等で、無線制御局ＲＮＣに報告するように構成されている。【００２１】
かかる測定結果の報告を受けた無線制御局ＲＮＣは、最適なセルを選択して、無線基地局ＮｏｄｅＢや移動局ＵＥに通知し、当該移動局ＵＥと当該無線基地局ＮｏｄｅＢとの間で通信が行われる。かかる無線制御局ＲＮＣにおけるセル選択アルゴリズムについては、説明を省略する。【００２２】
また、移動局ＵＥの移動に伴い、通信を行うセルを、通信中に変更することも可能である（ハンドオーバ）。【００２３】
図２６を参照して、従来技術におけるハンドオーバの動作について説明する。【００２４】
ステップＳ４００１において、移動局ＵＥと交換局ＭＳＣ/ＳＧＳＮとの間の接続手順が完了すると、ステップＳ４００２において、交換局ＭＳＣ/ＳＧＳＮが、無線制御局ＲＮＣに対して、無線アクセスベアラ（ＲＡＢ：Ｒａｄｉｏ  Ａｃｃｅｓｓ  Ｂｅａｒｅｒ）の設定を要求するための「ＲＡＢ  Ａｓｓｉｇｎｍｅｎｔメッセージ」を送信し、ステップＳ４００３において、無線アクセスベアラが確立する。【００２５】
無線制御局ＲＮＣは、ステップＳ４００４において、定期的に、或いは、周期的な閾値判定の結果に基づく契機等で、移動局ＵＥから報告された測定結果を受信すると、ステップＳ４００５において、かかる測定結果に基づいて、最適なセルを選択し、ハンドオーバを主導する。【００２６】
ところで、近年、無線基地局Ｎｏｄｅの一種として、屋外空間をカバーする公衆向けの無線基地局Ｎｏｄｅとは別に、主に屋内空間をカバーする超小型無線基地局（以後、フェムト無線基地局）の導入が進んでいる。【００２７】
さらに、かかるフェムト無線基地局を、一般家庭や小規模オフィス等に設置した上で、カバーエリアを極小化したり、無線制御局ＲＮＣとの接続に安価な家庭向けのＩＰ回線を適用したりすることで、特定の移動局ＵＥ（ユーザ）に固有のプライベートなエリアを形成（単一又は複数のセルにより形成）し、当該移動局ＵＥに対して当該エリアでの課金体系を区別したり当該エリア限定の付加機能を提供したりする「ユーザ限定サービス」の検討が行われている。【００２８】
従来の移動通信システムでは、このようなユーザ限定サービスを提供するフェムト無線基地局配下のセルであっても、上述のように、測定結果に基づく所定の選択アルゴリズムによって、不特定多数の移動局ＵＥや無線制御局ＲＮＣにより選択され、位置登録処理やハンドオーバによるアクセスが実施される可能性がある。【００２９】
このように、従来の移動通信システムでは、ユーザ限定サービスを提供するフェムト無線基地局配下のセルであっても、不特定多数の移動局ＵＥによって待ち受けや通信が行われることになり、当該セルにおける特定の移動局ＵＥに対するサービス性が輻輳により意図せず低下する懸念があった。
【発明の開示】
【００３０】
そこで、本発明は、上述の課題に鑑みてなされたものであり、ユーザ限定サービスを提供するフェムト無線基地局配下のセルにおいて、不特定多数の移動局ＵＥによって待ち受けや通信が行われることによる特定の移動局ＵＥに対するサービス性の低下を回避することができる移動通信システム、位置登録方法、ハンドオーバ方法、交換局、移動局及び無線制御局を提供することを目的とする。
【００３１】
また、本発明は、ユーザやオペレータの設定により不特定多数の移動局ＵＥに対して当該フェムト無線基地局配下のセルに対する待ち受けやハンドオーバを許容し、柔軟なサービス提供やシステム運用を可能にすることができる移動通信システム、位置登録方法、ハンドオーバ方法、交換局、移動局及び無線制御局を提供することを目的とする。
【００３２】
本発明の第１の特徴は、オープン状態又はクローズド状態のいずれかに設定可能な無線基地局配下のセルに対する移動局の位置登録処理の可否を判断するように構成されている移動通信システムであって、前記無線基地局が、オープン状態に設定されている場合、該無線基地局が、クローズド状態に設定されており、アクセス可能な移動局として前記移動局が設定されているアクセスリストを管理している場合、或いは、該無線基地局が、クローズド状態に設定されており、アクセス可能な移動局を示す情報として全ての移動局を示す特定情報が設定されているアクセスリストを管理している場合にのみ、該無線基地局配下のセルに対する該移動局の位置登録処理を許可するように構成されていることを要旨とする。
【００３３】
本発明の第１の特徴において、前記無線基地局が、オープン状態に設定されている場合、或いは、該無線基地局が、クローズド状態に設定されており、アクセス可能な移動局を示す情報として全ての移動局を示す特定情報が設定されているアクセスリストを管理している場合には、該無線基地局配下のセルに対する全ての移動局の位置登録処理を許可するように構成されていてもよい。
【００３４】
本発明の第１の特徴において、前記移動局の位置登録処理を要求する位置登録要求に含まれる情報に応じて、前記無線基地局がオープン状態であるかクローズド状態であるかについて判断し、該判断結果に基づいて、該無線基地局配下のセルに対する該移動局の位置登録処理の可否を判断するように構成されていてもよい。
【００３５】
本発明の第１の特徴において、前記無線基地局配下のセルに対する前記移動局の位置登録処理が拒否された場合、該移動局に対して、位置登録処理を行うべきセルに関する情報を通知するように構成されていてもよい。
【００３６】
本発明の第２の特徴は、オープン状態又はクローズド状態のいずれかに設定可能な無線基地局配下のセルに対する移動局のハンドオーバの可否を判断するように構成されている移動通信システムであって、前記無線基地局が、オープン状態に設定されている場合、該無線基地局が、クローズド状態に設定されており、アクセス可能な移動局として前記移動局が設定されているアクセスリストを管理している場合、或いは、該無線基地局が、クローズド状態に設定されており、アクセス可能な移動局を示す情報として全ての移動局を示す特定情報が設定されているアクセスリストを管理している場合にのみ、該無線基地局配下のセルに対する該移動局のハンドオーバを許可するように構成されていることを要旨とする。
【００３７】
本発明の第２の特徴において、前記無線基地局が、オープン状態に設定されている場合、或いは、該無線基地局が、クローズド状態に設定されており、アクセス可能な移動局を示す情報として全ての移動局を示す特定情報が設定されているアクセスリストを管理している場合には、該無線基地局配下のセルに対する全ての移動局のハンドオーバを許可するように構成されていてもよい。
【００３８】
本発明の第３の特徴は、オープン状態又はクローズド状態のいずれかに設定可能な無線基地局配下のセルに対する移動局の位置登録処理の可否を判断する位置登録方法であって、前記無線基地局が、オープン状態に設定されている場合、該無線基地局が、クローズド状態に設定されており、アクセス可能な移動局として前記移動局が設定されているアクセスリストを管理している場合、或いは、該無線基地局が、クローズド状態に設定されており、アクセス可能な移動局を示す情報として全ての移動局を示す特定情報が設定されているアクセスリストを管理している場合にのみ、該無線基地局配下のセルに対する該移動局の位置登録処理を許可することを要旨とする。
【００３９】
本発明の第４の特徴は、オープン状態又はクローズド状態のいずれかに設定可能な無線基地局配下のセルに対する移動局のハンドオーバの可否を判断するハンドオーバ方法であって、前記無線基地局が、オープン状態に設定されている場合、該無線基地局が、クローズド状態に設定されており、アクセス可能な移動局として前記移動局が設定されているアクセスリストを管理している場合、或いは、該無線基地局が、クローズド状態に設定されており、アクセス可能な移動局を示す情報として全ての移動局を示す特定情報が設定されているアクセスリストを管理している場合にのみ、該無線基地局配下のセルに対する該移動局のハンドオーバを許可することを要旨とする。
【００４０】
本発明の第５の特徴は、オープン状態又はクローズド状態のいずれかに設定可能な無線基地局配下のセルに対する移動局の位置登録処理の可否を判断するように構成されている交換局であって、前記無線基地局が、オープン状態に設定されている場合、該無線基地局が、クローズド状態に設定されており、アクセス可能な移動局として前記移動局が設定されているアクセスリストを管理している場合、或いは、該無線基地局が、クローズド状態に設定されており、アクセス可能な移動局を示す情報として全ての移動局を示す特定情報が設定されているアクセスリストを管理している場合にのみ、該無線基地局配下のセルに対する該移動局の位置登録処理を許可するように構成されていることを要旨とする。
【００４１】
本発明の第５の特徴において、前記無線基地局が、オープン状態に設定されている場合、或いは、該無線基地局が、クローズド状態に設定されており、アクセス可能な移動局を示す情報として全ての移動局を示す特定情報が設定されているアクセスリストを管理している場合には、該無線基地局配下のセルに対する全ての移動局の位置登録処理を許可するように構成されていてもよい。
【００４２】
本発明の第５の特徴において、前記移動局の位置登録処理を要求する位置登録要求に含まれる情報に応じて、前記無線基地局がオープン状態であるかクローズド状態であるかについて判断し、該判断結果に基づいて、該無線基地局配下のセルに対する該移動局の位置登録処理の可否を判断するように構成されていてもよい。
【００４３】
本発明の第５の特徴において、前記無線基地局配下のセルに対する前記移動局の位置登録処理の拒否回数に応じて、該無線基地局配下のセルに対する該移動局の位置登録処理を拒否する旨を通知するための否定的な位置登録応答に含める要因を変更するように構成されていてもよい。
【００４４】
本発明の第５の特徴において、前記拒否回数が、所定回数未満である場合、前記位置登録応答に、前記移動局の位置登録処理が許可されていない旨を示す要因以外の要因を含めるように構成されていてもよい。
【００４５】
本発明の第５の特徴において、前記拒否回数が、所定回数に到達した場合、前記位置登録応答に、前記移動局の位置登録処理が許可されていない旨を示す要因を含めるように構成されていてもよい。
【００４６】
本発明の第５の特徴において、前記拒否回数が、所定回数に到達した場合、前記無線基地局配下のセルに対する前記移動局の位置登録処理を許可するように構成されていてもよい。
【００４７】
本発明の第６の特徴は、オープン状態又はクローズド状態のいずれかに設定可能な無線基地局配下のセルに対する移動局の位置登録処理の可否を判断するように構成されている移動通信システムで用いられる移動局であって、前記無線基地局が、オープン状態に設定されている場合、該無線基地局が、クローズド状態に設定されており、アクセス可能な移動局として前記移動局が設定されているアクセスリストを管理している場合、或いは、該無線基地局が、クローズド状態に設定されており、アクセス可能な移動局を示す情報として全ての移動局を示す特定情報が設定されているアクセスリストを管理している場合にのみ、該無線基地局配下のセルに対して、該移動局の位置登録処理を要求する位置登録要求を送信するように構成されていることを要旨とする。
【００４８】
本発明の第７の特徴は、オープン状態又はクローズド状態のいずれかに設定可能な無線基地局配下のセルに対する移動局のハンドオーバの可否を判断するように構成されている無線制御局であって、前記無線基地局が、オープン状態に設定されている場合、該無線基地局が、クローズド状態に設定されており、アクセス可能な移動局として前記移動局が設定されているアクセスリストを管理している場合、或いは、該無線基地局が、クローズド状態に設定されており、アクセス可能な移動局を示す情報として全ての移動局を示す特定情報が設定されているアクセスリストを管理している場合にのみ、該無線基地局配下のセルに対する該移動局のハンドオーバを許可するように構成されていることを要旨とする。
【００４９】
本発明の第７の特徴において、前記無線基地局が、オープン状態に設定されている場合、或いは、該無線基地局が、クローズド状態に設定されており、アクセス可能な移動局を示す情報として全ての移動局を示す特定情報が設定されているアクセスリストを管理している場合には、該無線基地局配下のセルに対する全ての移動局のハンドオーバを許可するように構成されていてもよい。
【００５０】
本発明の第８の特徴は、オープン状態又はクローズド状態のいずれかに設定可能な配下のセルに対する移動局の位置登録処理の可否を判断するように構成されている無線基地局であって、オープン状態に設定されている場合、クローズド状態に設定されており、アクセス可能な移動局として前記移動局が設定されているアクセスリストを管理している場合、或いは、クローズド状態に設定されており、アクセス可能な移動局を示す情報として全ての移動局を示す特定情報が設定されているアクセスリストを管理している場合にのみ、配下のセルに対する該移動局の位置登録処理を許可するように構成されていることを要旨とする。
【００５１】
本発明の第８の特徴において、オープン状態に設定されている場合、或いは、クローズド状態に設定されており、アクセス可能な移動局を示す情報として全ての移動局を示す特定情報が設定されているアクセスリストを管理している場合には、配下のセルに対する全ての移動局の位置登録処理を許可するように構成されていてもよい。
【００５２】
本発明の第９の特徴は、オープン状態又はクローズド状態のいずれかに設定可能な無線基地局配下のセルに対する移動局の位置登録処理の可否を判断するように構成されている集約装置であって、前記無線基地局が、オープン状態に設定されている場合、該無線基地局が、クローズド状態に設定されており、アクセス可能な移動局として前記移動局が設定されているアクセスリストを管理している場合、或いは、該無線基地局が、クローズド状態に設定されており、アクセス可能な移動局を示す情報として全ての移動局を示す特定情報が設定されているアクセスリストを管理している場合にのみ、該無線基地局配下のセルに対する該移動局の位置登録処理」を許可するように構成されていることを要旨とする。
【００５３】
本発明の第９の特徴において、前記無線基地局が、オープン状態に設定されている場合、或いは、該無線基地局が、クローズド状態に設定されており、アクセス可能な移動局を示す情報として全ての移動局を示す特定情報が設定されているアクセスリストを管理している場合には、該無線基地局配下のセルに対する全ての移動局の位置登録処理を許可するように構成されていてもよい。
【００５４】
本発明の第９の特徴において、前記移動局の位置登録処理を要求する位置登録要求に含まれる情報に応じて、前記無線基地局がオープン状態であるかクローズド状態であるかについて判断し、該判断結果に基づいて、該無線基地局配下のセルに対する該移動局の位置登録処理の可否を判断するように構成されていてもよい。
【００５５】
本発明の第１０の特徴は、オープン状態又はクローズド状態のいずれかに設定可能な無線基地局配下のセルに対する移動局の位置登録処理の可否を判断するように構成されている無線制御局であって、前記無線基地局が、オープン状態に設定されている場合、該無線基地局が、クローズド状態に設定されており、アクセス可能な移動局として前記移動局が設定されているアクセスリストを管理している場合、或いは、該無線基地局が、クローズド状態に設定されており、アクセス可能な移動局を示す情報として全ての移動局を示す特定情報が設定されているアクセスリストを管理している場合にのみ、該無線基地局配下のセルに対する該移動局の位置登録処理」を許可するように構成されていることを要旨とする。
【００５６】
本発明の第１０の特徴において、前記無線基地局が、オープン状態に設定されている場合、或いは、該無線基地局が、クローズド状態に設定されており、アクセス可能な移動局を示す情報として全ての移動局を示す特定情報が設定されているアクセスリストを管理している場合には、該無線基地局配下のセルに対する全ての移動局の位置登録処理を許可するように構成されていてもよい。
【００５７】
本発明の第１０の特徴において、前記移動局の位置登録処理を要求する位置登録要求に含まれる情報に応じて、前記無線基地局がオープン状態であるかクローズド状態であるかについて判断し、該判断結果に基づいて、該無線基地局配下のセルに対する該移動局の位置登録処理の可否を判断するように構成されていてもよい。
【００５８】
本発明の第１１の特徴は、オープン状態又はクローズド状態のいずれかに設定可能な配下のセルに対する移動局のハンドオーバの可否を判断するように構成されている無線基地局であって、オープン状態に設定されている場合、クローズド状態に設定されており、アクセス可能な移動局として前記移動局が設定されているアクセスリストを管理している場合、或いは、クローズド状態に設定されており、アクセス可能な移動局を示す情報として全ての移動局を示す特定情報が設定されているアクセスリストを管理している場合にのみ、配下のセルに対する該移動局のハンドオーバを許可するように構成されていることを要旨とする。
【００５９】
本発明の第１１の特徴において、オープン状態に設定されている場合、或いは、クローズド状態に設定されており、アクセス可能な移動局を示す情報として全ての移動局を示す特定情報が設定されているアクセスリストを管理している場合には、配下のセルに対する全ての移動局のハンドオーバを許可するように構成されていてもよい。
【００６０】
本発明の第１２の特徴は、オープン状態又はクローズド状態のいずれかに設定可能な無線基地局配下のセルに対する移動局のハンドオーバの可否を判断するように構成されている集約装置であって、前記無線基地局が、オープン状態に設定されている場合、該無線基地局が、クローズド状態に設定されており、アクセス可能な移動局として前記移動局が設定されているアクセスリストを管理している場合、或いは、該無線基地局が、クローズド状態に設定されており、アクセス可能な移動局を示す情報として全ての移動局を示す特定情報が設定されているアクセスリストを管理している場合にのみ、該無線基地局配下のセルに対する該移動局のハンドオーバを許可するように構成されていることを要旨とする。
【００６１】
本発明の第１２の特徴において、前記無線基地局が、オープン状態に設定されている場合、或いは、該無線基地局が、クローズド状態に設定されており、アクセス可能な移動局を示す情報として全ての移動局を示す特定情報が設定されているアクセスリストを管理している場合には、該無線基地局配下のセルに対する全ての移動局のハンドオーバを許可するように構成されていてもよい。
【図面の簡単な説明】
【００６２】
【図１】本発明の第１の実施形態に係る移動通信システムの全体構成図である。
【図２】本発明の第１の実施形態に係る交換局の機能ブロック図である。
【図３】本発明の第１の実施形態に係る交換局のセル情報管理部によって管理されているセル情報の一例を示す図である。
【図４】本発明の第１の実施形態に係る交換局のアクセスリスト管理部によって管理されているアクセスリストの一例を示す図である。
【図５】本発明の第１の実施形態に係る移動通信システムにおける位置登録処理時の動作を示すシーケンス図である。
【図６】本発明の第１の実施形態に係る移動通信システムにおける位置登録処理時の交換局の動作を示すフローチャートである。
【図７】本発明の第２の実施形態に係る移動局の機能ブロック図である。
【図８】本発明の第２の実施形態に係る移動通信システムにおける位置登録処理時の移動局の動作を示すフローチャートである。
【図９】本発明の第３の実施形態に係る交換局の機能ブロック図である。
【図１０】本発明の第３の実施形態に係る無線制御局の機能ブロック図である。
【図１１】本発明の第３の実施形態に係る移動通信システムにおけるハンドオーバ処理時の動作を示すシーケンス図である。
【図１２】本発明の第３の実施形態に係る移動通信システムにおけるハンドオーバ処理時の無線制御局の動作を示すシーケンス図である。
【図１３】変更例１に係る交換局の動作を説明するフローチャートである。
【図１４】変更例１に係る交換局の動作を説明するフローチャートである。
【図１５】変更例１に係る移動局の動作を説明するフローチャートである。
【図１６】変更例２に係る移動通信システムの全体構成図である。
【図１７】変更例２に係る集約装置の機能ブロック図である。
【図１８】変更例２に係る移動通信システムにおける位置登録処理時の動作を示すシーケンス図である。
【図１９】変更例３に係る移動通信システムの全体構成図である。
【図２０】変更例３に係るフェムト無線基地局の機能ブロック図である。
【図２１】変更例３に係る移動通信システムにおける位置登録処理時の動作を示すシーケンス図である。
【図２２】変更例４に係る無線制御局の機能ブロック図である。
【図２３】変更例４に係る移動通信システムにおける位置登録処理時の動作を示すシーケンス図である。
【図２４】一般的なＷ-ＣＤＭＡ方式の移動通信システムの全体構成図である。
【図２５】一般的なＷ-ＣＤＭＡ方式の移動通信システムにおける位置登録処理時の動作を示すシーケンス図である。
【図２６】一般的なＷ-ＣＤＭＡ方式の移動通信システムにおけるハンドオーバ処理時の動作を示すシーケンス図である。
【発明を実施するための最良の形態】
【００６３】
（本発明の第１の実施形態に係る移動通信システムの構成）
図１乃至図４を参照して、本発明の第１の実施形態に係る移動通信システムの構成について説明する。【００６４】
図１に示すように、本実施形態に係る移動通信システムは、無線基地局ＮｏｄｅＢ＃１と、フェムト無線基地局ＮｏｄｅＢ＃２と、無線基地局ＮｏｄｅＢ＃１に接続されている無線制御局ＲＮＣ＃１と、フェムト無線基地局ＮｏｄｅＢ＃２に接続されている無線制御局ＲＮＣ＃２と、無線制御局ＲＮＣ＃１及び無線制御局ＲＮＣ＃２に接続されている交換局ＭＳＣ/ＳＧＳＮとを具備している。【００６５】
ここで、無線基地局ＮｏｄｅＢ＃１は、通信事業者等によって設置されるものであり、屋内空間におけるセル＃１をカバーする公衆向けの無線基地局であるものとする。【００６６】
また、フェムト無線基地局ＮｏｄｅＢ＃２は、一般ユーザや通信事業者等によって一般家庭や小規模オフィス等に設置されるものであり、主に屋内空間におけるフェムトセル＃２をカバーする超小型無線基地局であるものとする。【００６７】
なお、フェムト無線基地局ＮｏｄｅＢ＃２と無線制御局ＲＮＣ＃２とは、例えば、安価な家庭向けのＩＰ回線を介して接続されるように構成されていてもよい。【００６８】
また、フェムト無線基地局ＮｏｄｅＢ＃２は、当該フェムト無線基地局ＮｏｄｅＢ＃２にアクセス可能な特定の移動局ＵＥに対して、「ユーザ限定サービス」を提供するように構成されていてもよい。【００６９】
ここで、「ユーザ限定サービス」としては、フェムトセル＃２において、セル＃１における課金体系と異なる課金体系を提供することや、フェムトセル＃２における限定の付加機能を提供することが想定される。【００７０】
また、本実施形態に係る移動通信システムは、オープン状態（Ｏｐｅｎ）又はクローズド状態（Ｃｌｏｓｅｄ）のいずれかに設定可能な無線基地局ＮｏｄｅＢ配下のセルに対する移動局ＵＥの位置登録処理の可否を判断するように構成されている。【００７１】
また、上述した図１４に示す構成と同様に、交換局ＭＳＣ/ＳＧＳＮは、複数存在して互いに接続されているのが普通であるが、図１の例では、簡略化のため、１つのみ示す。【００７２】
また、かかる移動通信システムにおいても、交換局ＭＳＣ/ＳＧＳＮとは別に、ホームメモリと呼ばれる加入者情報を記憶する装置を配備するのが普通であるが、図１の例では、同じく簡略化のため、ホームメモリの機能は、交換局ＭＳＣ/ＳＧＳＮに含まれるものとする。【００７３】
図２に示すように、本実施形態に係る交換局ＭＳＣ/ＳＧＳＮは、位置登録要求受信部１１と、位置登録処理部１２と、セル情報管理部１３と、アクセスリスト管理部１４と、位置情報登録応答送信部１５とを具備している。【００７４】
位置登録要求受信部１１は、移動局ＵＥから送信された「Ｒｏｕｔｉｎｇ  Ａｒｅａ  Ｕｐｄａｔｅ  Ｒｅｑｕｅｓｔメッセージ（位置登録要求）」を受信するように構成されている。【００７５】
位置登録処理部１２は、位置登録要求受信部１１によって受信された「Ｒｏｕｔｉｎｇ  Ａｒｅａ  Ｕｐｄａｔｅ  Ｒｅｑｕｅｓｔメッセージ（位置登録要求）」によって指定されている無線基地局ＮｏｄｅＢ配下のセルに対する当該移動局ＵＥの位置登録処理を行うように構成されている。【００７６】
なお、上述の「Ｒｏｕｔｉｎｇ  Ａｒｅａ  Ｕｐｄａｔｅ  Ｒｅｑｕｅｓｔメッセージ（位置登録要求）」によってフェムト無線基地局ＮｏｄｅＢ＃２配下のフェムトセル＃２が指定されている場合、位置登録処理部１２は、セル情報管理部１３及びアクセスリスト管理部１４を参照して、フェムト無線基地局ＮｏｄｅＢ＃２配下のフェムトセル＃２に対する移動局ＵＥの位置登録処理の可否を判定するように構成されている。【００７７】
セル情報管理部１３は、図３に示すように、「セル識別子」と「状態」とを関連付けて記憶するように構成されている。【００７８】
「セル識別子」は、各セルを識別するための識別子であり、「状態」には、各セルが属する無線基地局ＮｏｄｅＢがオープン状態に設定されているか或いはクローズド状態に設定されているかのいずれかを示す情報である。【００７９】
ここで、例えば、通信事業者が、フェムト無線基地局ＮｏｄｅＢ＃２をオープン状態に設定することができ、一般ユーザは、フェムト無線基地局ＮｏｄｅＢ＃２をオープン状態に設定することができないように構成されていてもよい。【００８０】
また、アクセスリスト管理部１４は、各セルに対してアクセス可能な移動局を設定するアクセスリストを管理するように構成されている、例えば、アクセスリスト管理部１４は、図４に示すように、「セル識別子」と「アクセス可能移動局」とを関連付けるアクセスリストを記憶するように構成されている。【００８１】
「アクセス可能移動局」は、「セル識別子」によって識別されるセルに対してアクセス（位置登録処理）を行うことができる移動局を示す情報である。【００８２】
なお、「アクセス可能移動局」は、特定の移動局を示す情報（例えば、「Ａ」や「Ｂ」）ではなく、全ての移動局を示す特定情報（「Ａｎｙ」）であってもよい。また、「アクセス可能移動局」は、１つ又は複数の移動局によって形成されるクラスを示す情報であってもよい。【００８３】
具体的には、位置登録処理部１２は、以下のいずれかの場合にのみ、無線基地局ＮｏｄｅＢ配下のセルに対する移動局ＵＥの位置登録処理を許可するように構成されている。【００８４】
（１）無線基地局ＮｏｄｅＢが、オープン状態（Ｏｐｅｎ）に設定されている場合。【００８５】
（２）無線基地局ＮｏｄｅＢが、クローズド状態（Ｃｌｏｓｅｄ）に設定されており、アクセス可能な移動局として当該移動局ＵＥが設定されているアクセスリストを管理している場合。【００８６】
（３）無線基地局ＮｏｄｅＢが、クローズド状態（Ｃｌｏｓｅｄ）に設定されており、アクセス可能な移動局を示す情報として全ての移動局を示す特定情報（「Ａｎｙ」）が設定されているアクセスリストを管理している場合。【００８７】
なお、上述の（１）及び（３）の場合には、位置登録処理部１２は、無線基地局ＮｏｄｅＢ配下のセルに対する全ての移動局の位置登録処理を許可するように構成されている。【００８８】
上述のように、一般ユーザは、フェムト無線基地局ＮｏｄｅＢ＃２をオープン状態に設定することができないが、アクセスリストに「Ａｎｙ」を設定することによって、フェムト無線基地局ＮｏｄｅＢ＃２配下のフェムトセル＃２に対する全ての移動局の位置登録処理を許可することができる。【００８９】
また、位置登録処理部１２は、移動局ＵＥの位置登録処理を要求する「Ｒｏｕｔｉｎｇ  Ａｒｅａ  Ｕｐｄａｔｅ  Ｒｅｑｕｅｓｔメッセージ（位置登録要求）」に含まれる情報に応じて、無線基地局ＮｏｄｅＢがオープン状態であるかクローズド状態であるかについて判断し、かかる判断結果に基づいて、無線基地局ＮｏｄｅＢ配下のセルに対する移動局ＵＥの位置登録処理の可否を判断するように構成されていてもよい。【００９０】
位置登録応答送信部１５は、位置登録処理部１２による当該移動局ＵＥの位置登録処理の結果に応じて、「Ｒｏｕｔｉｎｇ  Ａｒｅａ  Ｕｐｄａｔｅ  Ｒｅｊｅｃｔメッセージ（否定的な位置登録応答）」或いは「Ｒｏｕｔｉｎｇ  Ａｒｅａ  Ｕｐｄａｔｅ  Ａｃｃｅｐｔメッセージ（肯定的な位置登録応答）」を、移動局ＵＥに対して送信するように構成されている。【００９１】
（本発明の第１の実施形態に係る移動通信システムの動作）
図５を参照して、本発明の第１の実施形態に係る移動通信システムにおいて、無線基地局ＮｏｄｅＢ＃１配下のセル＃１に対して位置登録処理を行っている移動局ＵＥが、フェムト無線基地局ＮｏｄｅＢ＃２配下のフェムトセル＃２に対して位置登録処理を行う動作について説明する。【００９２】
図５に示すように、ステップＳ１００１において、移動局ＵＥは、最適なパイロット信号に対応するセルの報知情報に含まれているセル（フェムトセル＃２）の位置番号（フェムトセル＃２が属するページングエリアの識別子）と、当該移動局ＵＥにおいて記憶されているセル（セル＃１）の位置番号（セル＃１が属するページングエリアの識別子）とを比較する。【００９３】
両者が一致していれば、移動局ＵＥは、本動作を終了して、ステップＳ１００２において、現在位置登録処理を行っている（待ち受けを行っている）セル＃１において待ち受けを継続する。【００９４】
一方、両者が不一致であれば、移動局ＵＥは、ステップＳ１００３及びＳ１００４において、無線制御局ＲＮＣ＃２に対して、「ＲＲＣ  Ｃｏｎｎｅｃｔｉｏｎ  Ｒｅｑｕｅｓｔメッセージ」を送信することによって、当該無線制御局ＲＮＣ＃２との間で無線回線を設定した上で、ステップＳ１００５において、交換局ＭＳＣ/ＳＧＳＮに対して、フェムトセル＃２に対する位置登録処理を要求するための「Ｒｏｕｔｉｎｇ  Ａｒｅａ  Ｕｐｄａｔｅ  Ｒｅｑｕｅｓｔメッセージ（位置登録要求）」を送信する。【００９５】
ここで、無線制御装置ＲＮＣ＃２が、交換局ＭＳＣ/ＳＧＳＮに対して送信される「Ｒｏｕｔｉｎｇ  Ａｒｅａ  Ｕｐｄａｔｅ  Ｒｅｑｕｅｓｔメッセージ（位置登録要求）」に対して、上述のフェムトセル＃２の報知情報に含まれている位置番号及びセル識別子を付与している。【００９６】
ステップＳ１００６において、移動局ＵＥについての認証処理が行われた後、ステップＳ１００７において、交換局ＭＳＣ/ＳＧＳＮは、フェムトセル＃２に対する移動局ＵＥの位置登録処理を許可するべきか否かについて判定する。以下、かかる判定方法について、図６を参照して説明する。【００９７】
図６に示すように、ステップ１０１において、交換局ＭＳＣ/ＳＧＳＮは、フェムト無線基地局ＮｏｄｅＢ＃２が、オープン状態或いはクローズド状態のどちらに設定されているかについて判定する。【００９８】
オープン状態に設定されていると判定された場合、ステップＳ１０５において、交換局ＭＳＣ/ＳＧＳＮは、フェムトセル＃２に対する移動局ＵＥの位置登録処理を許可するべきであると判定する。【００９９】
一方、クローズド状態に設定されていると判定された場合、ステップＳ１０２において、交換局ＭＳＣ/ＳＧＳＮは、アクセスリストにおいて「Ａｎｙ」が設定されているか否かについて判定する。【０１００】
アクセスリストにおいて「Ａｎｙ」が設定されていると判定された場合、ステップＳ１０５において、交換局ＭＳＣ/ＳＧＳＮは、フェムトセル＃２に対する移動局ＵＥの位置登録処理を許可するべきであると判定する。【０１０１】
一方、アクセスリストにおいて「Ａｎｙ」が設定されていないと判定された場合、ステップＳ１０３において、交換局ＭＳＣ/ＳＧＳＮは、アクセスリストにおいて、当該移動局ＵＥを示す情報（移動局ＵＥの識別子や、移動局ＵＥが属するクラス等）が設定されているか否かについて判定する。【０１０２】
当該移動局ＵＥを示す情報が設定されていると判定された場合、ステップＳ１０５において、交換局ＭＳＣ/ＳＧＳＮは、フェムトセル＃２に対する移動局ＵＥの位置登録処理を許可するべきであると判定する。【０１０３】
一方、当該移動局ＵＥを示す情報が設定されていないと判定された場合、ステップＳ１０４において、交換局ＭＳＣ/ＳＧＳＮは、フェムトセル＃２に対する移動局ＵＥの位置登録処理を拒否するべきであると判定する。【０１０４】
なお、「Ｒｏｕｔｉｎｇ  Ａｒｅａ  Ｕｐｄａｔｅ  Ｒｅｑｕｅｓｔメッセージ（位置登録要求）」に、移動局ＵＥが位置登録処理を行うセルが属する無線基地局がフェムト無線基地局であるか否かについて示す「フェムト指定識別子」が付与されている場合、交換局ＭＳＣ/ＳＧＳＮは、フェムト無線基地局以外の無線基地局に対する移動局ＵＥの位置登録処理が要求された場合には、ステップＳ１００７の処理を省略することによって、処理負荷を軽減することができる。【０１０５】
図５に戻り、交換局ＭＳＣ/ＳＧＳＮは、フェムトセル＃２に対する移動局ＵＥの位置登録処理を拒否するべきであると判定した場合、ステップＳ１００８において、その旨を示す「Ｒｏｕｔｉｎｇ  Ａｒｅａ  Ｕｐｄａｔｅ  Ｒｅｊｅｃｔメッセージ（否定的な位置登録応答）」を、移動局ＵＥに対して送信する。【０１０６】
ここで、交換局ＭＳＣ/ＳＧＳＮは、フェムトセル＃２に対する移動局ＵＥの位置登録処理を拒否するべきであると判定した場合、移動局ＵＥに対して、位置登録処理を行うべきセルに関する情報（周波数や、セル識別子等）を通知するように構成されていてもよい。【０１０７】
また、交換局ＭＳＣ/ＳＧＳＮが、フェムトセル＃２に対する移動局ＵＥの位置登録処理を拒否するべきであると判定した場合、無線制御局ＲＮＣ＃２が、無線回線の解放時に、移動局に対して、「ＲＲＣ  Ｃｏｎｎｅｃｔｉｏｎ  Ｒｅｌｅａｓｅメッセージ（無線回線解放指示）によって、位置登録処理を行うべきセルに関する情報（周波数や、セル識別子等）を通知するように構成されていてもよい。【０１０８】
かかる場合、交換局ＭＳＣ/ＳＧＳＮが、無線制御局ＲＮＣ＃２に対して、かかるセルに関する情報を含む「無線アクセスベアラ解放指示」を送信するように構成されていてもよい。【０１０９】
一方、交換局ＭＳＣ/ＳＧＳＮは、フェムトセル＃２に対する移動局ＵＥの位置登録処理を許可するべきであると判定した場合、ステップＳ１００９において、その旨を示す「Ｒｏｕｔｉｎｇ  Ａｒｅａ  Ｕｐｄａｔｅ  Ａｃｃｅｐｔメッセージ（肯定的な位置登録応答）」を、移動局ＵＥに対して送信する。【０１１０】
移動局ＵＥは、交換局ＭＳＣ/ＳＧＳＮから、「Ｒｏｕｔｉｎｇ  Ａｒｅａ  Ｕｐｄａｔｅ  Ａｃｃｅｐｔメッセージ（肯定的な位置登録応答）」を受信すると、ステップＳ１０１０において、受信した「Ｒｏｕｔｉｎｇ  Ａｒｅａ  Ｕｐｄａｔｅ  Ａｃｃｅｐｔメッセージ（肯定的な位置登録応答）」によって指定されている位置番号を記憶した上で、ステップＳ１０１１において、交換局ＭＳＣ/ＳＧＳＮに対して、「Ｒｏｕｔｉｎｇ  Ａｒｅａ  Ｕｐｄａｔｅ  Ｃｏｍｐｌｅｔｅメッセージ（位置登録完了応答）」を返送すると共に、ステップＳ１０１３において、当該無線制御局ＲＮＣとの間の無線回線を解放する。【０１１１】
ステップＳ１０１２において、「Ｒｏｕｔｉｎｇ  Ａｒｅａ  Ｕｐｄａｔｅ  Ｃｏｍｐｌｅｔｅメッセージ（位置登録完了応答）」を受信した交換局ＭＳＣ/ＳＧＳＮは、受信した「Ｒｏｕｔｉｎｇ  Ａｒｅａ  Ｕｐｄａｔｅ  Ｃｏｍｐｌｅｔｅメッセージ（位置登録完了応答）」によって指定されている位置番号を当該移動局ＵＥに関連付けて登録する。【０１１２】
（本発明の第１の実施形態に係る移動通信システムの作用・効果）
本発明の第１の実施形態に係る移動通信システムによれば、移動局ＵＥが、自律的に、フェムト無線基地局ＮｏｄｅＢ＃２に対する位置登録処理の可否を判定することができない場合、フェムトセル＃２において、不特定多数の移動局が待ち受けを行うことによる特定の移動局ＵＥのサービス性低下を回避することが可能になる。【０１１３】
また、本発明の第１の実施形態に係る移動通信システムによれば、ユーザや通信事業者の設定次第では、不特定多数の移動局のフェムトセル＃２への待ち受けを許容することもでき、柔軟なサービス提供やシステム運用が可能になる。【０１１４】
また、本発明の第１の実施形態に係る移動通信システムによれば、フェムトセル＃２以外のセル＃１における不要なアクセス判定処理（位置登録処理の可否判定処理）を省略することができ、交換局ＭＳＣ/ＳＧＳＮの処理負荷を軽減することが可能になる。【０１１５】
さらに、本発明の第１の実施形態に係る移動通信システムによれば、フェムトセル＃２に対する位置登録処理を拒否した移動局に対して、待ち受けを行うべきセルに関する情報を通知することによって、所望セルにおいて待ち受けを行うように誘導することができ、通信事業者による柔軟なシステム運用が可能になる。【０１１６】
（本発明の第２の実施形態に係る移動通信システム）
図７乃至図９を参照して、本発明の第２の実施形態に係る移動通信システムについて説明する。以下、本実施形態に係る移動通信システムについて、上述の第１の実施形態に係る移動通信システムとの相違点に着目して説明する。【０１１７】
本実施形態に係る移動通信システムでは、移動局ＵＥが、自律的に、オープン状態（Ｏｐｅｎ）又はクローズド状態（Ｃｌｏｓｅｄ）のいずれかに設定可能な無線基地局ＮｏｄｅＢ配下のセルに対する移動局ＵＥの位置登録処理の可否を判断するように構成されている。【０１１８】
図７に示すように、本実施形態に係る移動局ＵＥは、報知情報受信部２１と、セル情報管理部２２と、アクセスリスト管理部２３と、位置登録要求送信部２４と、位置情報登録応答受信部２５と、位置番号管理部２６とを具備している。【０１１９】
報知情報受信部２１は、最適なパイロット信号に対応するセルの報知情報を受信するように構成されている。【０１２０】
セル情報管理部２２は、図３に示すセル情報管理部１３と同様に、「セル識別子」と「状態」とを関連付けて管理するように構成されている。【０１２１】
アクセスリスト管理部２３は、図４に示すアクセスリスト管理部１４と同様に、「セル識別子」と「アクセス可能移動局」とを関連付けるアクセスリストを記憶するように構成されている。【０１２２】
位置登録要求送信部２４は、セル情報管理部２２及びアクセスリスト管理部２３を参照して、オープン状態に設定されている無線基地局ＮｏｄｅＢ配下のセル、或いは、クローズド状態に設定されており、「アクセス可能移動局」として当該移動局ＵＥが設定されているアクセスリストを管理している無線基地局ＮｏｄｅＢ配下のセルに対する位置登録処理を要求するための「Ｒｏｕｔｉｎｇ  Ａｒｅａ  Ｕｐｄａｔｅ  Ｒｅｑｕｅｓｔメッセージ（位置登録要求）」を、交換局ＭＳＣ/ＳＧＳＮに対して送信するように構成されている。【０１２３】
位置情報登録応答受信部２５は、交換局ＭＳＣ/ＳＧＳＮから送信された「Ｒｏｕｔｉｎｇ  Ａｒｅａ  Ｕｐｄａｔｅ  Ｒｅｊｅｃｔメッセージ（否定的な位置登録応答）」或いは「Ｒｏｕｔｉｎｇ  Ａｒｅａ  Ｕｐｄａｔｅ  Ａｃｃｅｐｔメッセージ（肯定的な位置登録応答）」を受信するように構成されている。【０１２４】
位置番号管理部２６は、「Ｒｏｕｔｉｎｇ  Ａｒｅａ  Ｕｐｄａｔｅ  Ａｃｃｅｐｔメッセージ（肯定的な位置登録応答）」によって指定されているセルの位置番号を、当該移動局ＵＥの位置登録先の位置番号（ページングエリアの識別子）として管理するように構成されている。【０１２５】
次に、図８を参照して、本発明の第２の実施形態に係る移動通信システムにおいて、無線基地局ＮｏｄｅＢ＃１配下のセル＃１に対して位置登録処理を行っている移動局ＵＥが、フェムト無線基地局ＮｏｄｅＢ＃２配下のフェムトセル＃２に対して位置登録処理を行う動作について説明する。【０１２６】
図８に示すように、ステップ２０１において、移動局ＵＥは、最適なパイロット信号に対応するセルの報知情報に含まれているセル（フェムトセル＃２）の位置番号（フェムトセル＃２が属するページングエリアの識別子）と、当該移動局ＵＥにおいて記憶されているセル（セル＃１）の位置番号（セル＃１が属するページングエリアの識別子）とを比較する。【０１２７】
両者が一致していれば、移動局ＵＥは、ステップＳ２０４において、現在位置登録処理を行っている（待ち受けを行っている）セル＃１において待ち受けを継続し、本動作は終了する。【０１２８】
一方、両者が不一致であれば、移動局ＵＥは、ステップＳ２０２において、フェムト無線基地局ＮｏｄｅＢ＃２が、オープン状態或いはクローズド状態のどちらに設定されているかについて判定する。【０１２９】
オープン状態に設定されていると判定された場合、移動局ＵＥは、ステップＳ２０５において、フェムトセル＃２に対する移動局ＵＥの位置登録処理を許可するべきであると判定し、交換局ＭＳＣ/ＳＧＳＮに対して、「Ｒｏｕｔｉｎｇ  Ａｒｅａ  Ｕｐｄａｔｅ  Ｒｅｑｕｅｓｔメッセージ（位置登録要求）」を送信する。【０１３０】
一方、クローズド状態に設定されていると判定された場合、移動局ＵＥは、ステップＳ２０３において、アクセスリストにおいて、フェムトセル＃２における「アクセス可能移動局」として、当該移動局ＵＥを示す情報（移動局ＵＥの識別子や、移動局ＵＥが属するクラス等）が設定されているか否かについて判定する。【０１３１】
当該移動局ＵＥを示す情報が設定されていると判定された場合、移動局ＵＥは、ステップＳ２０５において、フェムトセル＃２に対する移動局ＵＥの位置登録処理を許可するべきであると判定し、交換局ＭＳＣ/ＳＧＳＮに対して、「Ｒｏｕｔｉｎｇ  Ａｒｅａ  Ｕｐｄａｔｅ  Ｒｅｑｕｅｓｔメッセージ（位置登録要求）」を送信する。【０１３２】
一方、当該移動局ＵＥを示す情報が設定されていないと判定された場合、移動局ＵＥは、ステップＳ２０４において、現在位置登録処理を行っている（待ち受けを行っている）セル＃１において待ち受けを継続し、本動作は終了する。【０１３３】
なお、移動局ＵＥは、上述のセルが属する無線基地局が、フェムト無線基地局以外の無線基地局であることを把握している場合には、図８に示すステップＳ２０２の動作を省略して、全てオープン状態に設定されているものと判定して、処理負荷を軽減することができる。【０１３４】
なお、ステップＳ２０５において、移動局ＵＥが、交換局ＭＳＣ/ＳＧＳＮに対して、「Ｒｏｕｔｉｎｇ  Ａｒｅａ  Ｕｐｄａｔｅ  Ｒｅｑｕｅｓｔメッセージ（位置登録要求）」を送信した後の動作は、ステップＳ１００７及びＳ１００８を除いて、図５に示す動作と同一である。【０１３５】
本発明の第２の実施形態に係る移動通信システムによれば、移動局ＵＥが、自律的に、フェムト無線基地局ＮｏｄｅＢ＃２に対する位置登録処理の可否を判定することができ、フェムトセル＃２において、不特定多数の移動局が待ち受けを行うことによる特定の移動局ＵＥのサービス性低下を回避することが可能になる。【０１３６】
また、本発明の第２の実施形態に係る移動通信システムによれば、ユーザや通信事業者の設定次第では、不特定多数の移動局のフェムトセル＃２への待ち受けを許容することもでき、柔軟なサービス提供やシステム運用が可能になる。【０１３７】
（本発明の第３の実施形態に係る移動通信システム）
図１０乃至図１２を参照して、本発明の第３の実施形態に係る移動通信システムについて説明する。以下、本実施形態に係る移動通信システムについて、上述の第１の実施形態に係る移動通信システムとの相違点に着目して説明する。【０１３８】
本発明の第３の実施形態に係る移動通信システムは、オープン状態又はクローズド状態のいずれかに設定可能な無線基地局ＮｏｄｅＢ配下のセルに対する移動局ＵＥのハンドオーバの可否を判断するように構成されている。【０１３９】
図９に示すように、交換局ＭＳＣ/ＳＧＳＮは、セル情報管理部１３と、アクセスリスト管理部１４と、通信制御部１６と、ＲＡＢ設定要求送信部１７とを具備している。【０１４０】
通信制御部１６は、無線基地局ＮｏｄｅＢ及び無線制御局ＲＮＣを介した移動局ＵＥによる通信を制御するように構成されている。【０１４１】
ＲＡＢ設定要求送信部１７は、移動局ＵＥから接続確立要求を受信した場合、「ＲＡＢ  Ａｓｓｉｇｎｍｅｎｔ  Ｒｅｑｕｅｓｔメッセージ（無線アクセスベアラ設定要求）」を無線制御局ＲＮＣに対して送信するように構成されている。【０１４２】
ここで、ＲＡＢ設定要求送信部１７は、アクセスリスト管理部１４から、当該移動局ＵＥがアクセス可能なセル（すなわち、移動局ＵＥがハンドオーバ候補として選択可能なセル）を識別するセル識別子を抽出し、「ＲＡＢ  Ａｓｓｉｇｎｍｅｎｔ  Ｒｅｑｕｅｓｔメッセージ（無線アクセスベアラ設定要求）」によって無線制御局ＲＮＣに対して通知するように構成されている。【０１４３】
具体的には、ＲＡＢ設定要求送信部１７は、アクセスリスト管理部１４に対して、移動局ＵＥを示す情報（例えば、「Ａ」）を入力し、図４に示すアクセスリストの逆引きによって抽出されたセル識別子（例えば、「＃１」乃至「＃３」）を取得するように構成されている。【０１４４】
ここで、図４に示すアクセスリストにおいて、「Ａｎｙ」は、全ての移動局を示す情報であるから、いかなる移動局を示す情報が入力されたとしても、セル識別子「＃３」は必ず返却されることになる。【０１４５】
図１０に示すように、本実施形態に係る無線制御局ＲＮＣは、ＲＡＢ設定要求受信部３１と、利用可能セル管理部３２と、セル情報管理部３３と、測定報告受信部３４と、ハンドオーバ処理部３５とを具備している。【０１４６】
ＲＡＢ設定要求受信部３１は、交換局ＭＳＣ/ＳＧＳＮから送信された「ＲＡＢ  Ａｓｓｉｇｎｍｅｎｔ  Ｒｅｑｕｅｓｔメッセージ（無線アクセスベアラ設定要求）」を受信するように構成されている。【０１４７】
また、ＲＡＢ設定要求受信部３１は、受信した「ＲＡＢ  Ａｓｓｉｇｎｍｅｎｔ  Ｒｅｑｕｅｓｔメッセージ（無線アクセスベアラ設定要求）」によって通知された当該移動局ＵＥがアクセス可能なセル（すなわち、移動局ＵＥがハンドオーバ候補として選択可能なセル）を識別するセル識別子を、利用可能セル管理部３３に記憶するように構成されている。【０１４８】
さらに、ＲＡＢ設定要求受信部３１は、受信した「ＲＡＢ  Ａｓｓｉｇｎｍｅｎｔ  Ｒｅｑｕｅｓｔメッセージ（無線アクセスベアラ設定要求）」に応じて、移動局ＵＥと交換局ＭＳＣ/ＳＧＳＮとの間の無線アクセスベアラの設定手順を行うように構成されている。【０１４９】
測定報告受信部３４は、移動局ＵＥから送信された「Ｍｅａｓｕｒｅｍｅｎｔ  Ｒｅｐｏｒｔメッセージ（測定報告）」を受信するように構成されている。【０１５０】
ハンドオーバ処理部３５は、測定報告受信部３４によって受信された「Ｍｅａｓｕｒｅｍｅｎｔ  Ｒｅｐｏｒｔメッセージ（測定報告）」に応じて、当該移動局ＵＥを特定セルに対してハンドオーバさせるべきであるか否かについて判定するように構成されている。【０１５１】
ここで、ハンドオーバ処理部３５は、当該移動局ＵＥを特定セルにハンドオーバさせるべきであると判定した場合に、利用可能セル管理部３２及びセル情報管理部３３を参照して、当該移動局ＵＥの当該特定セルに対するハンドオーバの可否を判定するように構成されている。【０１５２】
なお、ハンドオーバ処理部３５は、当該移動局ＵＥを特定セルにハンドオーバさせるべきであると判定した場合であっても、利用可能セル管理部３２及びセル情報管理部３３を参照して、当該移動局ＵＥの当該特定セルに対するハンドオーバを拒否すると判定した場合には、かかる測定結果を破棄して、かかるハンドオーバ処理を行わないように構成されている。【０１５３】
次に、図１１及び図１２を参照して、本発明の第３の実施形態に係る移動通信システムにおいて、無線基地局ＮｏｄｅＢ＃１配下のセル＃１を介して通信を行っている移動局ＵＥが、フェムト無線基地局ＮｏｄｅＢ＃２配下のフェムトセル＃２に対してハンドオーバ処理を行う動作について説明する。【０１５４】
図１１に示すように、ステップＳ２００１において、無線基地局ＮｏｄｅＢ＃１及び無線制御局ＲＮＣ＃１を介する移動局ＵＥと交換局ＭＳＣ/ＳＧＳＮとの間の接続確立手順が行われる。【０１５５】
ステップＳ２００２において、交換局ＭＳＣ/ＳＧＳＮは、当該移動局ＵＥがアクセス可能なセルを識別するセル識別子を抽出する。【０１５６】
交換局ＭＳＣ/ＳＧＳＮは、ステップＳ２００３において、抽出したセル識別子を「ＲＡＢ  Ａｓｓｉｇｎｍｅｎｔ  Ｒｅｑｕｅｓｔメッセージ（無線アクセスベアラ設定要求）」に対して付与し、ステップＳ２００４において、無線制御局ＲＮＣ＃１に対して、かかる「ＲＡＢ  Ａｓｓｉｇｎｍｅｎｔ  Ｒｅｑｕｅｓｔメッセージ（無線アクセスベアラ設定要求）」を送信する。【０１５７】
ステップＳ２００５において、無線基地局ＮｏｄｅＢ＃１及び無線制御局ＲＮＣ＃１を介する移動局ＵＥと交換局ＭＳＣ/ＳＧＳＮとの間の無線アクセスベアラの設定手順が行われる。【０１５８】
上述の無線アクセスベアラが設定された後、ステップＳ２００６において、移動局ＵＥが、「Ｍｅａｓｕｒｅｍｅｎｔ  Ｒｅｐｏｒｔメッセージ（測定報告）」を、無線制御局ＲＮＣ＃１に対して送信する。【０１５９】
ステップＳ２００７において、「Ｍｅａｓｕｒｅｍｅｎｔ  Ｒｅｐｏｒｔメッセージ（測定報告）」を受信した無線制御局ＲＮＣ＃１は、ハンドオーバ候補セルを選択する。【０１６０】
図１１の例では、無線制御局ＲＮＣ＃１は、無線基地局ＮｏｄｅＢ＃１配下のセル＃１を介して通信を行っている当該移動局ＵＥのハンドオーバ候補セルとして、フェムト無線基地局ＮｏｄｅＢ＃２配下のフェムトセル＃２を選択する。【０１６１】
そして、無線制御局ＲＮＣ＃１は、当該移動局ＵＥを、ハンドオーバ候補セルとして選択されたフェムトセル＃２に対してハンドオーバさせるか否かについて判定する。以下、かかる判定方法について、図１２を参照して説明する。【０１６２】
図１２に示すように、ステップ３０１において、無線制御局ＲＮＣ＃１は、ハンドオーバ候補セルとして選択されたフェムトセル＃２が属するフェムト無線基地局ＮｏｄｅＢ＃２が、オープン状態或いはクローズド状態のどちらに設定されているかについて判定する。【０１６３】
オープン状態に設定されていると判定された場合、ステップＳ３０４において、無線制御局ＲＮＣ＃１は、フェムトセル＃２に対する移動局ＵＥのハンドオーバを許可するべきであると判定する。【０１６４】
一方、クローズド状態に設定されていると判定された場合、ステップＳ３０２において、無線制御局ＲＮＣ＃１は、利用可能セル管理部３２を参照して、当該移動局ＵＥが利用可能なセルとしてフェムトセル＃２が管理されているか否かについて判定する。【０１６５】
当該移動局ＵＥが利用可能なセルとしてフェムトセル＃２が管理されていると判定された場合、ステップＳ３０４において、無線制御局ＲＮＣ＃１は、フェムトセル＃２に対する移動局ＵＥのハンドオーバを許可するべきであると判定する。【０１６６】
一方、当該移動局ＵＥが利用可能なセルとしてフェムトセル＃２が管理されていないと判定された場合、ステップＳ３０３において、無線制御局ＲＮＣ＃１は、フェムトセル＃２に対する移動局ＵＥのハンドオーバを許可するべきではないと判定する。【０１６７】
図１１に戻り、無線制御局ＲＮＣ＃１は、フェムトセル＃２に対する移動局ＵＥのハンドオーバを許可するべきではないと判定した場合、上述の「Ｍｅａｓｕｒｅｍｅｎｔ  Ｒｅｐｏｒｔメッセージ（測定報告）」を破棄する。【０１６８】
一方、無線制御局ＲＮＣ＃１は、フェムトセル＃２に対する移動局ＵＥのハンドオーバを許可するべきであると判定した場合、ステップＳ２００９において、移動局ＵＥのセル＃１からフェムトセル＃２へのハンドオーバ手順が行われる。【０１６９】
本発明の第３の実施形態に係る移動通信システムによれば、フェムトセル＃２において、不特定多数の移動局が通信することによる特定の移動局ＵＥのサービス性低下を回避することが可能になる。【０１７０】
（変更例１）
また、図１３乃至図１５を参照して、本発明の変更例１に係る移動通信システムについて説明する。【０１７１】
本変更例１に係る移動通信システムでは、交換局ＭＳＣ/ＳＧＳＮの位置登録応答送信部１５は、かかる無線基地局ＮｏｄｅＢ配下のセルに対する移動局ＵＥの位置登録処理の拒否回数に応じて、「Ｒｏｕｔｉｎｇ  Ａｒｅａ  Ｕｐｄａｔｅ  Ｒｅｊｅｃｔメッセージ（否定的な位置登録応答）」に含める要因を変更するように構成されている。【０１７２】
具体的には、交換局ＭＳＣ/ＳＧＳＮの位置登録応答送信部１５は、かかる拒否回数が、所定回数未満である場合、「Ｒｏｕｔｉｎｇ  Ａｒｅａ  Ｕｐｄａｔｅ  Ｒｅｊｅｃｔメッセージ（否定的な位置登録応答）」に、移動局ＵＥの位置登録処理が許可されていない旨を示す要因「Ｌｏｃａｔｉｏｎ  Ａｒｅａ  ｎｏｔ  Ａｌｌｏｗｅｄ」以外の要因、例えば、ネットワーク障害を示す「Ｎｅｔｗｏｒｋ  Ｆａｉｌｕｒｅ」や、ネットワーク輻輳を示す「Ｃｏｎｇｅｓｔｉｏｎ」等を含めるように構成されていてもよい。【０１７３】
また、交換局ＭＳＣ/ＳＧＳＮの位置登録応答送信部１５は、かかる拒否回数が、所定回数に到達した場合、「Ｒｏｕｔｉｎｇ  Ａｒｅａ  Ｕｐｄａｔｅ  Ｒｅｊｅｃｔメッセージ（否定的な位置登録応答）」に、移動局ＵＥの位置登録処理が許可されていない旨を示す要因「Ｌｏｃａｔｉｏｎ  Ａｒｅａ  ｎｏｔ  Ａｌｌｏｗｅｄ」を含めるように構成されていてもよい。【０１７４】
なお、交換局ＭＳＣ/ＳＧＳＮの位置登録処理部１２は、かかる拒否回数が、所定回数に到達した場合、無線基地局ＮｏｄｅＢ配下のセルに対する移動局ＵＥの位置登録処理を許可するように構成されていてもよい。【０１７５】
一方、本変更例１に係る移動通信システムでは、特定の位置番号を用いた位置登録処理を要求する「Ｒｏｕｔｉｎｇ  Ａｒｅａ  Ｕｐｄａｔｅ  Ｒｅａｑｕｅｓｔメッセージ（位置登録要求）」を送信した移動局ＵＥは、無線基地局ＮｏｄｅＢ配下のセルに対する移動局ＵＥの位置登録処理が拒否された旨を通知する「Ｒｏｕｔｉｎｇ  Ａｒｅａ  Ｕｐｄａｔｅ  Ｒｅｊｅｃｔメッセージ（否定的な位置登録応答）」を受信した場合に、当該「Ｒｏｕｔｉｎｇ  Ａｒｅａ  Ｕｐｄａｔｅ  Ｒｅｊｅｃｔメッセージ（否定的な位置登録応答）」に含まれる要因（Ｃａｕｓｅ）に応じて、無線基地局ＮｏｄｅＢ配下のセルに対する移動局ＵＥの位置登録処理の再試行を行うか否かについて判定するように構成されている。【０１７６】
具体的には、「Ｒｏｕｔｉｎｇ  Ａｒｅａ  Ｕｐｄａｔｅ  Ｒｅｊｅｃｔメッセージ（否定的な位置登録応答）」が、移動局ＵＥの位置登録処理が許可されていない旨を示す要因「Ｌｏｃａｔｉｏｎ  Ａｒｅａ  ｎｏｔ  Ａｌｌｏｗｅｄ」を含む場合、移動局ＵＥは、無線基地局ＮｏｄｅＢ配下のセルに対する移動局ＵＥの位置登録処理の再試行を行わないと決定するように構成されている。【０１７７】
また、「Ｒｏｕｔｉｎｇ  Ａｒｅａ  Ｕｐｄａｔｅ  Ｒｅｊｅｃｔメッセージ（否定的な位置登録応答）」が、移動局ＵＥの位置登録処理が許可されていない旨を示す要因「Ｒｏｕｔｉｎｇ  Ａｒｅａ  Ｕｐｄａｔｅ  Ｒｅｊｅｃｔメッセージ（否定的な位置登録応答）」以外の要因を含む場合で、かつ、所定回数、無線基地局ＮｏｄｅＢ配下のセルに対する移動局ＵＥの位置登録処理の再試行が行われている場合に、移動局ＵＥは、無線基地局ＮｏｄｅＢ配下のセルに対する移動局ＵＥの位置登録処理の再試行を行わないと決定するように構成されていてもよい。【０１７８】
以下、図１３を参照して、本変更例１に係る交換局ＭＳＣ/ＳＧＳＮの第１の動作について説明する。【０１７９】
図１３に示すように、交換局ＭＳＣ/ＳＧＳＮは、移動局ＵＥから「Ｒｏｕｔｉｎｇ  Ａｒｅａ  Ｕｐｄａｔｅ  Ｒｅａｑｕｅｓｔメッセージ（位置登録要求）」を受信すると、ステップＳ４０１において、フェムト無線基地局ＮｏｄｅＢ＃２配下のフェムトセル＃２に対する当該移動局ＵＥの位置登録処理の可否について判定する。【０１８０】
交換局ＭＳＣ/ＳＧＳＮは、当該移動局ＵＥの位置登録処理を許可する場合、ステップＳ４０５において、かかる位置登録処理を行う。【０１８１】
一方、交換局ＭＳＣ/ＳＧＳＮは、当該移動局ＵＥの位置登録処理を拒否する場合、ステップＳ４０２において、かかる拒否回数が、所定回数に到達したか否かについて判定する。【０１８２】
かかる拒否回数が、所定回数に到達したと判定された場合、ステップＳ４０３において、交換局ＭＳＣ/ＳＧＳＮは、「Ｌｏｃａｔｉｏｎ  Ａｒｅａ  ｎｏｔ  Ａｌｌｏｗｅｄ」を含む「Ｒｏｕｔｉｎｇ  Ａｒｅａ  Ｕｐｄａｔｅ  Ｒｅｊｅｃｔメッセージ（否定的な位置登録応答）」を生成して、当該移動局ＵＥに送信する。【０１８３】
一方、かかる拒否回数が、所定回数に到達したと判定された場合、ステップＳ４０４において、交換局ＭＳＣ/ＳＧＳＮは、「Ｌｏｃａｔｉｏｎ  Ａｒｅａ  ｎｏｔ  Ａｌｌｏｗｅｄ」以外の要因、例えば、ネットワーク障害を示す「Ｎｅｔｗｏｒｋ  Ｆａｉｌｕｒｅ」や、ネットワーク輻輳を示す「Ｃｏｎｇｅｓｔｉｏｎ」等を含む「Ｒｏｕｔｉｎｇ  Ａｒｅａ  Ｕｐｄａｔｅ  Ｒｅｊｅｃｔメッセージ（否定的な位置登録応答）」を生成して、当該移動局ＵＥに送信する。【０１８４】
次に、図１４を参照して、本変更例１に係る交換局ＭＳＣ/ＳＧＳＮの第２の動作について説明する。【０１８５】
図１４に示すように、交換局ＭＳＣ/ＳＧＳＮは、移動局ＵＥから「Ｒｏｕｔｉｎｇ  Ａｒｅａ  Ｕｐｄａｔｅ  Ｒｅａｑｕｅｓｔメッセージ（位置登録要求）」を受信すると、ステップＳ５０１において、フェムト無線基地局ＮｏｄｅＢ＃２配下のフェムトセル＃２に対する当該移動局ＵＥの位置登録処理の可否について判定する。【０１８６】
交換局ＭＳＣ/ＳＧＳＮは、当該移動局ＵＥの位置登録処理を許可する場合、ステップＳ５０３において、かかる位置登録処理を行う。【０１８７】
一方、交換局ＭＳＣ/ＳＧＳＮは、当該移動局ＵＥの位置登録処理を拒否する場合、ステップＳ５０２において、かかる拒否回数が、所定回数に到達したか否かについて判定する。【０１８８】
かかる拒否回数が、所定回数に到達したと判定された場合、ステップＳ５０３において、交換局ＭＳＣ/ＳＧＳＮは、かかる位置登録処理を行う。【０１８９】
一方、かかる拒否回数が、所定回数に到達したと判定された場合、ステップＳ５０４において、交換局ＭＳＣ/ＳＧＳＮは、「Ｌｏｃａｔｉｏｎ  Ａｒｅａ  ｎｏｔ  Ａｌｌｏｗｅｄ」以外の要因、例えば、ネットワーク障害を示す「Ｎｅｔｗｏｒｋ  Ｆａｉｌｕｒｅ」や、ネットワーク輻輳を示す「Ｃｏｎｇｅｓｔｉｏｎ」等を含む「Ｒｏｕｔｉｎｇ  Ａｒｅａ  Ｕｐｄａｔｅ  Ｒｅｊｅｃｔメッセージ（否定的な位置登録応答）」を生成して、当該移動局ＵＥに送信する。【０１９０】
最後に、図１５を参照して、本変更例１に係る移動局ＵＥの動作について説明する。【０１９１】
図１５に示すように、移動局ＵＥは、ステップＳ６０１において、「Ｒｏｕｔｉｎｇ  Ａｒｅａ  Ｕｐｄａｔｅ  Ｒｅｊｅｃｔメッセージ（否定的な位置登録応答）」を受信すると、ステップＳ６０２において、かかる「Ｒｏｕｔｉｎｇ  Ａｒｅａ  Ｕｐｄａｔｅ  Ｒｅｊｅｃｔメッセージ（否定的な位置登録応答）」に含まれる要因（Ｃａｕｓｅ）が、当該移動局ＵＥの位置登録処理が許可されていない旨を示す「Ｌｏｃａｔｉｏｎ  Ａｒｅａ  ｎｏｔ  Ａｌｌｏｗｅｄ」であるか否かについて判定する。【０１９２】
かかる要因が、「Ｌｏｃａｔｉｏｎ  Ａｒｅａ  ｎｏｔ  Ａｌｌｏｗｅｄ」以外である場合、例えば、ネットワーク障害を示す「Ｎｅｔｗｏｒｋ  Ｆａｉｌｕｒｅ」や、ネットワーク輻輳を示す「Ｃｏｎｇｅｓｔｉｏｎ」等であると判定された場合、本動作は、ステップＳ６０３に進む。【０１９３】
一方、かかる要因が、「Ｌｏｃａｔｉｏｎ  Ａｒｅａ  ｎｏｔ  Ａｌｌｏｗｅｄ」であると判定された場合、ステップＳ６０５において、移動局ＵＥは、当該位置番号を用いた位置登録処理を中止する。【０１９４】
また、ステップＳ６０３において、移動局ＵＥは、既に、所定回数、当該位置番号を用いた位置登録処理を試行しているか否かについて判定する。【０１９５】
試行されていないと判定された場合、ステップＳ６０４において、移動局ＵＥは、当該位置番号を用いた位置登録処理を再試行する。【０１９６】
一方、試行されていると判定された場合、ステップＳ６０５において、移動局ＵＥは、当該位置番号を用いた位置登録処理を中止する。【０１９７】
なお、ステップＳ６０５において、移動局ＵＥが、当該位置番号を用いた位置登録処理を中止する代わりに、交換局ＭＳＣ/ＳＧＳＮにおいて、当該位置番号を用いた位置登録処理を許可するように構成されていてもよい。【０１９８】
一般的に、ある移動通信システム内の複数のセルにおいて、同一の位置番号を使用する場合がある。かかる場合、特定の位置番号を用いて第１セルに対する位置登録処理を要求する「Ｒｏｕｔｉｎｇ  Ａｒｅａ  Ｕｐｄａｔｅ  Ｒｅａｑｕｅｓｔメッセージ（位置登録要求）」を送信した移動局ＵＥが、「Ｒｏｕｔｉｎｇ  Ａｒｅａ  Ｕｐｄａｔｅ  Ｒｅｊｅｃｔメッセージ（否定的な位置登録応答）」を受信した場合に、必ず、当該位置番号を用いた位置登録処理を行わないように構成されていると、第１セルに対してだけでなく、第１セルと同じ位置番号が用いられている第２セルに対しても位置登録処理を行うことができなくなってしまうという懸念がある。【０１９９】
したがって、本発明の変更例２に係る移動通信システムのように、「Ｌｏｃａｔｉｏｎ  Ａｒｅａ  ｎｏｔ  Ａｌｌｏｗｅｄ」以外の要因（Ｃａｕｓｅ）を含む「Ｒｏｕｔｉｎｇ  Ａｒｅａ  Ｕｐｄａｔｅ  Ｒｅｊｅｃｔメッセージ（否定的な位置登録応答）」を用いることによって、かかる懸念を解消することができる。【０２００】
ただし、移動局ＵＥが、「Ｒｏｕｔｉｎｇ  Ａｒｅａ  Ｕｐｄａｔｅ  Ｒｅｊｅｃｔメッセージ（否定的な位置登録応答）」を受信した場合に、無制限に、当該位置番号を用いた位置登録処理を繰り返すと、バッテリ消費に繋がるため、本発明の変更例２に係る移動通信システムでは、所定回数以上の当該位置番号を用いた位置登録処理を制限するように構成されている。【０２０１】
（変更例２）
上述の実施形態では、Ｗ-ＣＤＭＡ方式の移動通信システムを例に挙げて説明されているが、本発明は、かかる移動通信システムに限定されるものではなく、例えば、ＬＴＥ（Ｌｏｎｇ  Ｔｅｒｍ  Ｅｖｏｌｕｔｉｏｎ）方式の移動通信システムにも適用可能である。以下、本変更例２に係る移動通信システムについて、上述の第１の実施形態に係る移動通信システムとの相違点に着目して説明する。【０２０２】
かかる場合、上述の無線基地局ＮｏｄｅＢの機能及び無線制御局ＲＮＣの機能は、無線基地局ｅＮＢに搭載されることになる。【０２０３】
具体的には、図１６に示すように、本変更例２に係る移動通信システムは、フェムト無線基地局ｅＮＢ＃１と、フェムト無線基地局ｅＮＢ＃１に接続されている集約装置ＨＮＢ-ＧＷと、集約装置ＨＮＢ-ＧＷに接続されている交換局ＭＭＥと、交換局ＭＭＥ及びネットワークに接続されているゲートウェイ装置ＧＷとを具備している。【０２０４】
図１７に示すように、本変更例２に係る集約装置ＨＮＢ-ＧＷは、位置登録要求受信部４１と、アクセス判定部４２と、セル情報管理部４３と、アクセスリスト管理部４４と、交換局インターフェイス４５と、位置登録応答送信部４６とを具備している。【０２０５】
位置登録要求受信部４１は、移動局ＵＥから送信された「Ｒｏｕｔｉｎｇ  Ａｒｅａ  Ｕｐｄａｔｅ  Ｒｅｑｕｅｓｔメッセージ（位置登録要求）」を受信するように構成されている。【０２０６】
アクセス判定部４２は、位置登録処理部１２と同様に、位置登録要求受信部４１によって受信された「Ｒｏｕｔｉｎｇ  Ａｒｅａ  Ｕｐｄａｔｅ  Ｒｅｑｕｅｓｔメッセージ（位置登録要求）」によって指定されている無線基地局ｅＮＢ配下のセルに対する当該移動局ＵＥの位置登録処理の可否を判断するように構成されている。【０２０７】
セル情報管理部４３は、セル情報管理部１３と同様に、図３に示すように、「セル識別子」と「状態」とを関連付けて記憶するように構成されている。【０２０８】
アクセスリスト管理部４４は、アクセスリスト管理部４４と同様に、各セルに対してアクセス可能な移動局を設定するアクセスリストを管理するように構成されている、例えば、アクセスリスト管理部４４は、図４に示すように、「セル識別子」と「アクセス可能移動局」とを関連付けるアクセスリストを記憶するように構成されている。【０２０９】
交換局インターフェイス４５は、アクセス判定部４２によって当該移動局ＵＥの位置登録処理を許可すると判定された場合に、「Ｒｏｕｔｉｎｇ  Ａｒｅａ  Ｕｐｄａｔｅ  Ｒｅｑｕｅｓｔメッセージ（位置登録要求）」を交換局ＭＭＥに対して転送し、交換局ＭＭＥから「Ｒｏｕｔｉｎｇ  Ａｒｅａ  Ｕｐｄａｔｅ  Ａｃｃｅｐｔメッセージ（肯定的な位置登録応答）」を受信するように構成されている。【０２１０】
位置登録応答送信部１５は、アクセス判定部４２によって当該移動局ＵＥの位置登録処理を許可すると判定された場合に、交換局インターフェイス４５によって受信された「Ｒｏｕｔｉｎｇ  Ａｒｅａ  Ｕｐｄａｔｅ  Ａｃｃｅｐｔメッセージ（肯定的な位置登録応答）」を、移動局ＵＥに対して送信するように構成されている。【０２１１】
また、位置登録応答送信部１５は、アクセス判定部４２によって当該移動局ＵＥの位置登録処理を拒否すると判定された場合に、「Ｒｏｕｔｉｎｇ  Ａｒｅａ  Ｕｐｄａｔｅ  Ｒｅｊｅｃｔメッセージ（否定的な位置登録応答）」を、移動局ＵＥに対して送信するように構成されている。【０２１２】
図１８を参照して、本変更例２に係る移動通信システムにおいて、無線基地局ｅＮＢ配下のセルに対して位置登録処理を行っている移動局ＵＥが、フェムト無線基地局ｅＮＢ＃１配下のフェムトセル＃１に対して位置登録処理を行う動作について説明する。【０２１３】
図１８に示すように、ステップＳ５００１において、移動局ＵＥは、最適なパイロット信号に対応するセルの報知情報に含まれているセルの位置番号と、当該移動局ＵＥにおいて記憶されているセルの位置番号とを比較する。【０２１４】
両者が一致していれば、移動局ＵＥは、本動作を終了して、ステップＳ５００２において、現在位置登録処理を行っている（待ち受けを行っている）セルにおいて待ち受けを継続する。【０２１５】
一方、両者が不一致であれば、移動局ＵＥは、ステップＳ５００３及びＳ５００４において、フェムト無線基地局ｅＮＢ＃１に対して、「ＲＲＣ  Ｃｏｎｎｅｃｔｉｏｎ  Ｒｅｑｕｅｓｔメッセージ」を送信することによって、当該フェムト無線基地局ｅＮＢ＃１との間で無線回線を設定した上で、ステップＳ５００５において、集約装置ＨＭＢ-ＧＷに対して、フェムトセル＃１に対する位置登録処理を要求するための「Ｒｏｕｔｉｎｇ  Ａｒｅａ  Ｕｐｄａｔｅ  Ｒｅｑｕｅｓｔメッセージ（位置登録要求）」を送信する。【０２１６】
ここで、フェムト無線基地局ｅＮＢ＃１が、集約装置ＨＭＢ-ＧＷに対して送信される「Ｒｏｕｔｉｎｇ  Ａｒｅａ  Ｕｐｄａｔｅ  Ｒｅｑｕｅｓｔメッセージ（位置登録要求）」に対して、上述のフェムトセル＃１の報知情報に含まれている位置番号及びセル識別子を付与している。【０２１７】
ステップＳ５００６において、移動局ＵＥについての認証処理が行われた後、ステップＳ５００７において、集約装置ＨＭＢ-ＧＷは、フェムトセル＃１に対する移動局ＵＥの位置登録処理を許可するべきか否かについて判定する。かかる判定方法は、上述の図６の動作と同一である。【０２１８】
集約装置ＨＭＢ-ＧＷは、フェムトセル＃１に対する移動局ＵＥの位置登録処理を拒否するべきであると判定した場合、ステップＳ５００８において、その旨を示す「Ｒｏｕｔｉｎｇ  Ａｒｅａ  Ｕｐｄａｔｅ  Ｒｅｊｅｃｔメッセージ（否定的な位置登録応答）」を、移動局ＵＥに対して送信する。【０２１９】
ここで、集約装置ＨＭＢ-ＧＷは、フェムトセル＃１に対する移動局ＵＥの位置登録処理を拒否するべきであると判定した場合、移動局ＵＥに対して、位置登録処理を行うべきセルに関する情報（周波数や、セル識別子等）を通知するように構成されていてもよい。【０２２０】
また、集約装置ＨＭＢ-ＧＷが、フェムトセル＃１に対する移動局ＵＥの位置登録処理を拒否するべきであると判定した場合、フェムト無線基地局ｅＮＢ＃１が、無線回線の解放時に、移動局に対して、「ＲＲＣ  Ｃｏｎｎｅｃｔｉｏｎ  Ｒｅｌｅａｓｅメッセージ（無線回線解放指示）によって、位置登録処理を行うべきセルに関する情報（周波数や、セル識別子等）を通知するように構成されていてもよい。【０２２１】
かかる場合、集約装置ＨＭＢ-ＧＷが、フェムト無線基地局ｅＮＢ＃１に対して、かかるセルに関する情報を含む「無線アクセスベアラ解放指示」を送信するように構成されていてもよい。【０２２２】
一方、集約装置ＨＭＢ-ＧＷは、フェムトセル＃１に対する移動局ＵＥの位置登録処理を許可するべきであると判定した場合、ステップＳ５００９において、交換局ＭＭＥに対して、「Ｒｏｕｔｉｎｇ  Ａｒｅａ  Ｕｐｄａｔｅ  Ｒｅｑｕｅｓｔメッセージ（位置登録要求）」を送信する。【０２２３】
集約装置ＨＭＢ-ＧＷは、ステップＳ５０１０において、交換局ＭＭＥから受信した「Ｒｏｕｔｉｎｇ  Ａｒｅａ  Ｕｐｄａｔｅ  Ａｃｃｅｐｔメッセージ（肯定的な位置登録応答）」を、ステップＳ５０１１において、移動局ＵＥに対して送信する。【０２２４】
移動局ＵＥは、交換局ＭＭＥから、「Ｒｏｕｔｉｎｇ  Ａｒｅａ  Ｕｐｄａｔｅ  Ａｃｃｅｐｔメッセージ（肯定的な位置登録応答）」を受信すると、ステップＳ５０１２において、受信した「Ｒｏｕｔｉｎｇ  Ａｒｅａ  Ｕｐｄａｔｅ  Ａｃｃｅｐｔメッセージ（肯定的な位置登録応答）」によって指定されている位置番号を記憶した上で、ステップＳ５０１３において、交換局ＭＭＥに対して、「Ｒｏｕｔｉｎｇ  Ａｒｅａ  Ｕｐｄａｔｅ  Ｃｏｍｐｌｅｔｅメッセージ（位置登録完了応答）」を返送すると共に、ステップＳ５０１５において、フェムト無線基地局ｅＮＢ＃１との間の無線回線を解放する。【０２２５】
ステップＳ５０１４において、「Ｒｏｕｔｉｎｇ  Ａｒｅａ  Ｕｐｄａｔｅ  Ｃｏｍｐｌｅｔｅメッセージ（位置登録完了応答）」を受信した交換局ＭＭＥは、受信した「Ｒｏｕｔｉｎｇ  Ａｒｅａ  Ｕｐｄａｔｅ  Ｃｏｍｐｌｅｔｅメッセージ（位置登録完了応答）」によって指定されている位置番号を当該移動局ＵＥに関連付けて登録する。【０２２６】
なお、本変更例２に係る移動通信システムの構成において、ＬＴＥ方式のフェムト無線基地局ｅＮＢ＃１を、ＷＣＤＭＡ方式のフェムト無線基地局ＮｏｄｅＢ＃１とし、ＬＴＥ方式の交換局ＭＭＥを、ＷＣＤＭＡ方式の交換局ＭＳＣ/ＳＧＳＮとしてもよい。【０２２７】
また、本変更例２に係る移動通信システムにおいて、集線装置ＨＮＢ-ＧＷが設けられていなくてもよい。かかる場合、本変更例２における集線装置ＨＮＢ-ＧＷの機能（例えば、図１８のステップＳ５００７の動作を行う機能等）は、交換局ＭＭＥにて行われるように構成されていてもよい。【０２２８】
（変更例３）
図１９乃至図２１を参照して、本変更例３に係る移動通信システムについて説明する。以下、本変更例３に係る移動通信システムについて、上述の第１の実施形態に係る移動通信システムとの相違点に着目して説明する。【０２２９】
具体的には、図１９に示すように、本変更例３に係る移動通信システムは、フェムト無線基地局ＢＳ＃１と、フェムト無線基地局ＢＳ＃１及びネットワークに接続されているゲートウェイ装置ＧＷとを具備している。【０２３０】
図２０に示すように、本変更例３に係るフェムト無線基地局ＢＳは、位置登録要求受信部５１と、位置登録処理部５２と、セル情報管理部５３と、アクセスリスト管理部５４と、位置登録応答送信部５５とを具備している。【０２３１】
かかるフェムト無線基地局ＢＳの機能は、図２に示す交換局ＭＳＣ/ＳＧＳＮの機能と基本的に同一である。【０２３２】
図２１を参照して、本変更例３に係る移動通信システムにおいて、無線基地局ｅＮＢ配下のセルに対して位置登録処理を行っている移動局ＵＥが、フェムト無線基地局ＢＳ＃１配下のフェムトセル＃１に対して位置登録処理を行う動作について説明する。【０２３３】
図２１に示すように、ステップＳ６００１において、移動局ＵＥは、最適なパイロット信号に対応するセルの報知情報に含まれているセルの位置番号と、当該移動局ＵＥにおいて記憶されているセルの位置番号とを比較する。【０２３４】
両者が一致していれば、移動局ＵＥは、本動作を終了して、ステップＳ６００２において、現在位置登録処理を行っている（待ち受けを行っている）セルにおいて待ち受けを継続する。【０２３５】
一方、両者が不一致であれば、移動局ＵＥは、ステップＳ６００３及びＳ６００４において、フェムト無線基地局ＢＳ＃１に対して、「ＲＲＣ  Ｃｏｎｎｅｃｔｉｏｎ  Ｒｅｑｕｅｓｔメッセージ」を送信することによって、フェムト無線基地局ＢＳ＃１との間で無線回線を設定した上で、ステップＳ６００５において、フェムト無線基地局ＢＳ＃１に対して、フェムトセル＃１に対する位置登録処理を要求するための「Ｒｏｕｔｉｎｇ  Ａｒｅａ  Ｕｐｄａｔｅ  Ｒｅｑｕｅｓｔメッセージ（位置登録要求）」を送信する。【０２３６】
ステップＳ６００６において、移動局ＵＥについての認証処理が行われた後、ステップＳ６００７において、フェムト無線基地局ＢＳ＃１は、フェムトセル＃１に対する移動局ＵＥの位置登録処理を許可するべきか否かについて判定する。かかる判定方法は、上述の図６の動作と同一である。【０２３７】
フェムト無線基地局ＢＳ＃１は、フェムトセル＃１に対する移動局ＵＥの位置登録処理を拒否するべきであると判定した場合、ステップＳ６００８において、その旨を示す「Ｒｏｕｔｉｎｇ  Ａｒｅａ  Ｕｐｄａｔｅ  Ｒｅｊｅｃｔメッセージ（否定的な位置登録応答）」を、移動局ＵＥに対して送信する。【０２３８】
ここで、フェムト無線基地局ＢＳ＃１は、フェムトセル＃１に対する移動局ＵＥの位置登録処理を拒否するべきであると判定した場合、移動局ＵＥに対して、位置登録処理を行うべきセルに関する情報（周波数や、セル識別子等）を通知するように構成されていてもよい。【０２３９】
また、フェムト無線基地局ＢＳ＃１が、フェムトセル＃１に対する移動局ＵＥの位置登録処理を拒否するべきであると判定した場合、無線回線の解放時に、移動局に対して、「ＲＲＣ  Ｃｏｎｎｅｃｔｉｏｎ  Ｒｅｌｅａｓｅメッセージ（無線回線解放指示）によって、位置登録処理を行うべきセルに関する情報（周波数や、セル識別子等）を通知するように構成されていてもよい。【０２４０】
一方、フェムト無線基地局ＢＳ＃１は、フェムトセル＃１に対する移動局ＵＥの位置登録処理を許可するべきであると判定した場合、ステップＳ６００９において、その旨を示す「Ｒｏｕｔｉｎｇ  Ａｒｅａ  Ｕｐｄａｔｅ  Ａｃｃｅｐｔメッセージ（肯定的な位置登録応答）」を、移動局ＵＥに対して送信する。【０２４１】
移動局ＵＥは、フェムト無線基地局ＢＳ＃１から、「Ｒｏｕｔｉｎｇ  Ａｒｅａ  Ｕｐｄａｔｅ  Ａｃｃｅｐｔメッセージ（肯定的な位置登録応答）」を受信すると、ステップＳ６０１０において、受信した「Ｒｏｕｔｉｎｇ  Ａｒｅａ  Ｕｐｄａｔｅ  Ａｃｃｅｐｔメッセージ（肯定的な位置登録応答）」によって指定されている位置番号を記憶した上で、ステップＳ６０１１において、フェムト無線基地局ＢＳ＃１に対して、「Ｒｏｕｔｉｎｇ  Ａｒｅａ  Ｕｐｄａｔｅ  Ｃｏｍｐｌｅｔｅメッセージ（位置登録完了応答）」を返送すると共に、ステップＳ６０１３において、フェムト無線基地局ＢＳ＃１との間の無線回線を解放する。【０２４２】
ステップＳ６０１２において、「Ｒｏｕｔｉｎｇ  Ａｒｅａ  Ｕｐｄａｔｅ  Ｃｏｍｐｌｅｔｅメッセージ（位置登録完了応答）」を受信したフェムト無線基地局ＢＳ＃１は、受信した「Ｒｏｕｔｉｎｇ  Ａｒｅａ  Ｕｐｄａｔｅ  Ｃｏｍｐｌｅｔｅメッセージ（位置登録完了応答）」によって指定されている位置番号を当該移動局ＵＥに関連付けて登録する。【０２４３】
（変更例４）
図２２乃至図２３を参照して、本変更例４に係る移動通信システムについて説明する。以下、本変更例３に係る移動通信システムについて、上述の第１の実施形態に係る移動通信システムとの相違点に着目して説明する。【０２４４】
本変更例４に係る移動通信システムの構成は、図１に示す第１の実施形態に係る移動通信システムの構成と同一である。【０２４５】
図２２に示すように、本変更例４に係る無線制御局ＲＮＣは、位置登録要求受信部３６１と、アクセス判定部３６２と、セル情報管理部２６３と、アクセスリスト管理部３６４と、交換局インターフェイス３６５と、位置登録応答送信部３６６とを具備している。【０２４６】
かかる無線制御局ＲＮＣの機能は、図１７に示す集約装置ＨＮＢ-ＧＷの機能と基本的に同一である。【０２４７】
図２３を参照して、本変更例４に係る移動通信システムにおいて、無線基地局ＮｏｄｅＢ＃１配下のセル＃１に対して位置登録処理を行っている移動局ＵＥが、フェムト無線基地局ＮｏｄｅＢ＃２配下のフェムトセル＃２に対して位置登録処理を行う動作について説明する。【０２４８】
図２３に示すように、ステップＳ７００１において、移動局ＵＥは、最適なパイロット信号に対応するセルの報知情報に含まれているセルの位置番号と、当該移動局ＵＥにおいて記憶されているセルの位置番号とを比較する。【０２４９】
両者が一致していれば、移動局ＵＥは、本動作を終了して、ステップＳ７００２において、現在位置登録処理を行っている（待ち受けを行っている）セルにおいて待ち受けを継続する。【０２５０】
一方、両者が不一致であれば、移動局ＵＥは、ステップＳ７００３及びＳ７００４において、無線制御局ＲＮＣ＃２に対して、「ＲＲＣ  Ｃｏｎｎｅｃｔｉｏｎ  Ｒｅｑｕｅｓｔメッセージ」を送信することによって、無線制御局ＲＮＣ＃２との間で無線回線を設定した上で、ステップＳ７００５において、無線制御局ＲＮＣ＃２に対して、フェムトセル＃１に対する位置登録処理を要求するための「Ｒｏｕｔｉｎｇ  Ａｒｅａ  Ｕｐｄａｔｅ  Ｒｅｑｕｅｓｔメッセージ（位置登録要求）」を送信する。【０２５１】
ステップＳ７００６において、移動局ＵＥについての認証処理が行われた後、ステップＳ７００７において、無線制御局ＲＮＣ＃２は、フェムトセル＃１に対する移動局ＵＥの位置登録処理を許可するべきか否かについて判定する。かかる判定方法は、上述の図６の動作と同一である。【０２５２】
無線制御局ＲＮＣ＃２は、フェムトセル＃１に対する移動局ＵＥの位置登録処理を拒否するべきであると判定した場合、ステップＳ７００８において、その旨を示す「Ｒｏｕｔｉｎｇ  Ａｒｅａ  Ｕｐｄａｔｅ  Ｒｅｊｅｃｔメッセージ（否定的な位置登録応答）」を、移動局ＵＥに対して送信する。【０２５３】
ここで、無線制御局ＲＮＣ＃２は、フェムトセル＃１に対する移動局ＵＥの位置登録処理を拒否するべきであると判定した場合、移動局ＵＥに対して、位置登録処理を行うべきセルに関する情報（周波数や、セル識別子等）を通知するように構成されていてもよい。【０２５４】
また、無線制御局ＲＮＣ＃２が、フェムトセル＃１に対する移動局ＵＥの位置登録処理を拒否するべきであると判定した場合、フェムト無線基地局ＮｏｄｅＢ＃２が、無線回線の解放時に、移動局に対して、「ＲＲＣ  Ｃｏｎｎｅｃｔｉｏｎ  Ｒｅｌｅａｓｅメッセージ（無線回線解放指示）によって、位置登録処理を行うべきセルに関する情報（周波数や、セル識別子等）を通知するように構成されていてもよい。【０２５５】
かかる場合、無線制御局ＲＮＣ＃２が、フェムト無線基地局ＮｏｄｅＢ＃２に対して、かかるセルに関する情報を含む「無線アクセスベアラ解放指示」を送信するように構成されていてもよい。【０２５６】
一方、無線制御局ＲＮＣ＃２は、フェムトセル＃１に対する移動局ＵＥの位置登録処理を許可するべきであると判定した場合、ステップＳ７００９において、交換局ＭＳＣ/ＳＧＳＮに対して、「Ｒｏｕｔｉｎｇ  Ａｒｅａ  Ｕｐｄａｔｅ  Ｒｅｑｕｅｓｔメッセージ（位置登録要求）」を送信する。【０２５７】
ここで、無線制御局ＲＮＣ＃２が、交換局ＭＳＣ/ＳＧＳＮに対して送信される「Ｒｏｕｔｉｎｇ  Ａｒｅａ  Ｕｐｄａｔｅ  Ｒｅｑｕｅｓｔメッセージ（位置登録要求）」に対して、上述のフェムトセル＃１の報知情報に含まれている位置番号及びセル識別子を付与している。【０２５８】
無線制御局ＲＮＣ＃２は、ステップＳ７０１０において、交換局ＭＳＣ/ＳＧＳＮから受信した「Ｒｏｕｔｉｎｇ  Ａｒｅａ  Ｕｐｄａｔｅ  Ａｃｃｅｐｔメッセージ（肯定的な位置登録応答）」を、ステップＳ７０１１において、移動局ＵＥに対して送信する。【０２５９】
移動局ＵＥは、交換局ＭＳＣ/ＳＧＳＮから、「Ｒｏｕｔｉｎｇ  Ａｒｅａ  Ｕｐｄａｔｅ  Ａｃｃｅｐｔメッセージ（肯定的な位置登録応答）」を受信すると、ステップＳ７０１２において、受信した「Ｒｏｕｔｉｎｇ  Ａｒｅａ  Ｕｐｄａｔｅ  Ａｃｃｅｐｔメッセージ（肯定的な位置登録応答）」によって指定されている位置番号を記憶した上で、ステップＳ７０１３において、交換局ＭＳＣ/ＳＧＳＮに対して、「Ｒｏｕｔｉｎｇ  Ａｒｅａ  Ｕｐｄａｔｅ  Ｃｏｍｐｌｅｔｅメッセージ（位置登録完了応答）」を返送すると共に、ステップＳ７０１５において、無線制御局ＲＮＣ＃２との間の無線回線を解放する。【０２６０】
ステップＳ７０１４において、「Ｒｏｕｔｉｎｇ  Ａｒｅａ  Ｕｐｄａｔｅ  Ｃｏｍｐｌｅｔｅメッセージ（位置登録完了応答）」を受信した交換局ＭＳＣ/ＳＧＳＮは、受信した「Ｒｏｕｔｉｎｇ  Ａｒｅａ  Ｕｐｄａｔｅ  Ｃｏｍｐｌｅｔｅメッセージ（位置登録完了応答）」によって指定されている位置番号を当該移動局ＵＥに関連付けて登録する。【０２６１】
（変更例５）
上述の第３の実施形態に係る移動通信システムにおける無線制御局ＲＮＣの機能が、図１６に示す移動通信システムにおける集約装置ＨＮＢ-ＧＷに搭載されていてもよいし、図１９に示す移動通信システムにおけるフェムト無線基地局ＮＳに搭載されていてもよい。【０２６２】
なお、上述の移動局ＵＥや無線基地局（フェムト無線基地局）ＮｏｄｅＢ（ｅＮＢ）や交換機ＭＳＣ/ＳＧＳＮ（ＭＭＥ）や無線制御局ＲＮＣや集約装置ＨＮＢ-ＧＷの動作は、ハードウェアによって実施されてもよいし、プロセッサによって実行されるソフトウェアモジュールによって実施されてもよいし、両者の組み合わせによって実施されてもよい。【０２６３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。【０２６４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ＮｏｄｅＢ（ｅＮＢ）や交換機ＭＳＣ/ＳＧＳＮ（ＭＭＥ）や無線制御局ＲＮＣや集約装置ＨＮＢ-ＧＷ内に設けられていてもよい。また、かかる記憶媒体及びプロセッサは、ディスクリートコンポーネントとして移動局ＵＥや無線基地局ＮｏｄｅＢ（ｅＮＢ）や交換機ＭＳＣ/ＳＧＳＮ（ＭＭＥ）や無線制御局ＲＮＣや集約装置ＨＮＢ-ＧＷ内に設けられていてもよい。【０２６５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【産業上の利用の可能性】
【０２６６】
以上説明したように、本発明によれば、ユーザ限定サービスを提供するフェムト無線基地局配下のセルにおいて、不特定多数の移動局ＵＥによって待ち受けや通信が行われることによる特定の移動局ＵＥに対するサービス性の低下を回避することができる移動通信システム、位置登録方法、ハンドオーバ方法、交換局、移動局及び無線制御局を提供することができる。
【０２６７】
また、本発明によれば、ユーザやオペレータの設定により不特定多数の移動局ＵＥに対して当該フェムト無線基地局配下のセルに対する待ち受けやハンドオーバを許容し、柔軟なサービス提供やシステム運用を可能にすることができる移動通信システム、位置登録方法、ハンドオーバ方法、交換局、移動局及び無線制御局を提供することができる。
【図１】
2009104648.tif 000003
【図２】
2009104648.tif 000004
【図３】
2009104648.tif 000005
【図４】
2009104648.tif 000006
【図５】
2009104648.tif 000007
【図６】
2009104648.tif 000008
【図７】
2009104648.tif 000009
【図８】
2009104648.tif 000010
【図９】
2009104648.tif 000011
【図１０】
2009104648.tif 000012
【図１１】
2009104648.tif 000013
【図１２】
2009104648.tif 000014
【図１３】
2009104648.tif 000015
【図１４】
2009104648.tif 000016
【図１５】
2009104648.tif 000017
【図１６】
2009104648.tif 000018
【図１７】
2009104648.tif 000019
【図１８】
2009104648.tif 000020
【図１９】
2009104648.tif 000021
【図２０】
2009104648.tif 000022
【図２１】
2009104648.tif 000023
【図２２】
2009104648.tif 000024
【図２３】
2009104648.tif 000025
【図２４】
2009104648.tif 000026
【図２５】
2009104648.tif 000027
【図２６】
2009104648.tif 000028
【手続補正書】
【提出日】平成22年9月7日(2010.9.7)
【手続補正１】
【補正対象書類名】明細書
【補正対象項目名】０００３
【補正方法】変更
【補正の内容】
【０００３】
近年、３ＧＰＰ（３ｒｄ  Ｇｅｎｅｒａｔｉｏｎ  Ｐａｒｔｎｅｒｓｈｉｐ  Ｐｒｏｊｅｃｔｓ）により、符号分割多元接続（Ｃｏｄｅ  Ｄｉｖｉｓｉｏｎ  Ｍｕｌｔｉｐｌｅ  Ａｃｃｅｓｓ：ＣＤＭＡ）技術に基づいたＷ-ＣＤＭＡ（Ｗｉｄｅｂａｎｄ-Ｃｏｄｅ  Ｄｉｖｉｓｉｏｎ  Ｍｕｌｔｉｐｌｅ  Ａｃｃｅｓｓ）方式の移動通信システム、或いは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）と呼ばれる移動通信システムが提案され、「非特許文献１」に仕様化されている。
【手続補正２】
【補正対象書類名】明細書
【補正対象項目名】０１１６
【補正方法】変更
【補正の内容】
【０１１６】
（本発明の第２の実施形態に係る移動通信システム）
図７乃至図8を参照して、本発明の第２の実施形態に係る移動通信システムについて説明する。以下、本実施形態に係る移動通信システムについて、上述の第１の実施形態に係る移動通信システムとの相違点に着目して説明する。
【手続補正３】
【補正対象書類名】明細書
【補正対象項目名】０１３７
【補正方法】変更
【補正の内容】
【０１３７】
（本発明の第３の実施形態に係る移動通信システム）
図９乃至図１２を参照して、本発明の第３の実施形態に係る移動通信システムについて説明する。以下、本実施形態に係る移動通信システムについて、上述の第１の実施形態に係る移動通信システムとの相違点に着目して説明する。
【手続補正４】
【補正対象書類名】明細書
【補正対象項目名】０１７７
【補正方法】変更
【補正の内容】
【０１７７】
また、「Location  Ａｒｅａ  not Allowedメッセージ」が、移動局ＵＥの位置登録処理が許可されていない旨を示す要因「Ｒｏｕｔｉｎｇ  Ａｒｅａ  Ｕｐｄａｔｅ  Ｒｅｊｅｃｔメッセージ（否定的な位置登録応答）」以外の要因を含む場合で、かつ、所定回数、無線基地局ＮｏｄｅＢ配下のセルに対する移動局ＵＥの位置登録処理の再試行が行われている場合に、移動局ＵＥは、無線基地局ＮｏｄｅＢ配下のセルに対する移動局ＵＥの位置登録処理の再試行を行わないと決定するように構成されていてもよい。
【手続補正５】
【補正対象書類名】明細書
【補正対象項目名】０１８３
【補正方法】変更
【補正の内容】
【０１８３】
一方、かかる拒否回数が、所定回数に到達していないと判定された場合、ステップＳ４０４において、交換局ＭＳＣ/ＳＧＳＮは、「Ｌｏｃａｔｉｏｎ  Ａｒｅａ  ｎｏｔ  Ａｌｌｏｗｅｄ」以外の要因、例えば、ネットワーク障害を示す「Ｎｅｔｗｏｒｋ  Ｆａｉｌｕｒｅ」や、ネットワーク輻輳を示す「Ｃｏｎｇｅｓｔｉｏｎ」等を含む「Ｒｏｕｔｉｎｇ  Ａｒｅａ  Ｕｐｄａｔｅ  Ｒｅｊｅｃｔメッセージ（否定的な位置登録応答）」を生成して、当該移動局ＵＥに送信する。
【手続補正６】
【補正対象書類名】明細書
【補正対象項目名】０１８９
【補正方法】変更
【補正の内容】
【０１８９】
一方、かかる拒否回数が、所定回数に到達していないと判定された場合、ステップＳ５０４において、交換局ＭＳＣ/ＳＧＳＮは、「Ｌｏｃａｔｉｏｎ  Ａｒｅａ  ｎｏｔ  Ａｌｌｏｗｅｄ」以外の要因、例えば、ネットワーク障害を示す「Ｎｅｔｗｏｒｋ  Ｆａｉｌｕｒｅ」や、ネットワーク輻輳を示す「Ｃｏｎｇｅｓｔｉｏｎ」等を含む「Ｒｏｕｔｉｎｇ  Ａｒｅａ  Ｕｐｄａｔｅ  Ｒｅｊｅｃｔメッセージ（否定的な位置登録応答）」を生成して、当該移動局ＵＥに送信する。
【手続補正７】
【補正対象書類名】明細書
【補正対象項目名】０１９９
【補正方法】変更
【補正の内容】
【０１９９】
したがって、本発明の変更例１に係る移動通信システムのように、「Ｌｏｃａｔｉｏｎ  Ａｒｅａ  ｎｏｔ  Ａｌｌｏｗｅｄ」以外の要因（Ｃａｕｓｅ）を含む「Ｒｏｕｔｉｎｇ  Ａｒｅａ  Ｕｐｄａｔｅ  Ｒｅｊｅｃｔメッセージ（否定的な位置登録応答）」を用いることによって、かかる懸念を解消することができる。
【手続補正８】
【補正対象書類名】明細書
【補正対象項目名】０２００
【補正方法】変更
【補正の内容】
【０２００】
ただし、移動局ＵＥが、「Ｒｏｕｔｉｎｇ  Ａｒｅａ  Ｕｐｄａｔｅ  Ｒｅｊｅｃｔメッセージ（否定的な位置登録応答）」を受信した場合に、無制限に、当該位置番号を用いた位置登録処理を繰り返すと、バッテリ消費に繋がるため、本発明の変更例１に係る移動通信システムでは、所定回数以上の当該位置番号を用いた位置登録処理を制限するように構成されている。
【手続補正９】
【補正対象書類名】明細書
【補正対象項目名】０２０８
【補正方法】変更
【補正の内容】
【０２０８】
アクセスリスト管理部４４は、アクセスリスト管理部１４と同様に、各セルに対してアクセス可能な移動局を設定するアクセスリストを管理するように構成されている、例えば、アクセスリスト管理部４４は、図４に示すように、「セル識別子」と「アクセス可能移動局」とを関連付けるアクセスリストを記憶するように構成されている。
【手続補正１０】
【補正対象書類名】明細書
【補正対象項目名】０２１０
【補正方法】変更
【補正の内容】
【０２１０】
位置登録応答送信部４６は、アクセス判定部４２によって当該移動局ＵＥの位置登録処理を許可すると判定された場合に、交換局インターフェイス４５によって受信された「Ｒｏｕｔｉｎｇ  Ａｒｅａ  Ｕｐｄａｔｅ  Ａｃｃｅｐｔメッセージ（肯定的な位置登録応答）」を、移動局ＵＥに対して送信するように構成されている。
【手続補正１１】
【補正対象書類名】明細書
【補正対象項目名】０２１１
【補正方法】変更
【補正の内容】
【０２１１】
また、位置登録応答送信部４６は、アクセス判定部４２によって当該移動局ＵＥの位置登録処理を拒否すると判定された場合に、「Ｒｏｕｔｉｎｇ  Ａｒｅａ  Ｕｐｄａｔｅ  Ｒｅｊｅｃｔメッセージ（否定的な位置登録応答）」を、移動局ＵＥに対して送信するように構成されている。
【手続補正１２】
【補正対象書類名】明細書
【補正対象項目名】０２５０
【補正方法】変更
【補正の内容】
【０２５０】
一方、両者が不一致であれば、移動局ＵＥは、ステップＳ７００３及びＳ７００４において、無線制御局ＲＮＣ＃２に対して、「ＲＲＣ  Ｃｏｎｎｅｃｔｉｏｎ  Ｒｅｑｕｅｓｔメッセージ」を送信することによって、無線制御局ＲＮＣ＃２との間で無線回線を設定した上で、ステップＳ７００５において、無線制御局ＲＮＣ＃２に対して、フェムトセル＃２に対する位置登録処理を要求するための「Ｒｏｕｔｉｎｇ  Ａｒｅａ  Ｕｐｄａｔｅ  Ｒｅｑｕｅｓｔメッセージ（位置登録要求）」を送信する。
【手続補正１３】
【補正対象書類名】明細書
【補正対象項目名】０２５１
【補正方法】変更
【補正の内容】
【０２５１】
ステップＳ７００６において、移動局ＵＥについての認証処理が行われた後、ステップＳ７００７において、無線制御局ＲＮＣ＃２は、フェムトセル＃２に対する移動局ＵＥの位置登録処理を許可するべきか否かについて判定する。かかる判定方法は、上述の図６の動作と同一である。
【手続補正１４】
【補正対象書類名】明細書
【補正対象項目名】０２５２
【補正方法】変更
【補正の内容】
【０２５２】
無線制御局ＲＮＣ＃２は、フェムトセル＃２に対する移動局ＵＥの位置登録処理を拒否するべきであると判定した場合、ステップＳ７００８において、その旨を示す「Ｒｏｕｔｉｎｇ  Ａｒｅａ  Ｕｐｄａｔｅ  Ｒｅｊｅｃｔメッセージ（否定的な位置登録応答）」を、移動局ＵＥに対して送信する。
【手続補正１５】
【補正対象書類名】明細書
【補正対象項目名】０２５３
【補正方法】変更
【補正の内容】
【０２５３】
ここで、無線制御局ＲＮＣ＃２は、フェムトセル＃２に対する移動局ＵＥの位置登録処理を拒否するべきであると判定した場合、移動局ＵＥに対して、位置登録処理を行うべきセルに関する情報（周波数や、セル識別子等）を通知するように構成されていてもよい。
【手続補正１６】
【補正対象書類名】明細書
【補正対象項目名】０２５４
【補正方法】変更
【補正の内容】
【０２５４】
また、無線制御局ＲＮＣ＃２が、フェムトセル＃２に対する移動局ＵＥの位置登録処理を拒否するべきであると判定した場合、フェムト無線基地局ＮｏｄｅＢ＃２が、無線回線の解放時に、移動局に対して、「ＲＲＣ  Ｃｏｎｎｅｃｔｉｏｎ  Ｒｅｌｅａｓｅメッセージ（無線回線解放指示）によって、位置登録処理を行うべきセルに関する情報（周波数や、セル識別子等）を通知するように構成されていてもよい。
【手続補正１７】
【補正対象書類名】明細書
【補正対象項目名】０２５６
【補正方法】変更
【補正の内容】
【０２５６】
一方、無線制御局ＲＮＣ＃２は、フェムトセル＃２に対する移動局ＵＥの位置登録処理を許可するべきであると判定した場合、ステップＳ７００９において、交換局ＭＳＣ/ＳＧＳＮに対して、「Ｒｏｕｔｉｎｇ  Ａｒｅａ  Ｕｐｄａｔｅ  Ｒｅｑｕｅｓｔメッセージ（位置登録要求）」を送信する。
【手続補正１８】
【補正対象書類名】明細書
【補正対象項目名】０２５７
【補正方法】変更
【補正の内容】
【０２５７】
ここで、無線制御局ＲＮＣ＃２が、交換局ＭＳＣ/ＳＧＳＮに対して送信される「Ｒｏｕｔｉｎｇ  Ａｒｅａ  Ｕｐｄａｔｅ  Ｒｅｑｕｅｓｔメッセージ（位置登録要求）」に対して、上述のフェムトセル＃２の報知情報に含まれている位置番号及びセル識別子を付与している。
【国際調査報告】
2009104648.tif 000029
2009104648.tif 000030
2009104648.tif 000031
2009104648.tif 000032
2009104648.tif 000033
2009104648.tif 000034